(57)【要約】【課題】無線端末装置の接続数の制限に起因する通信環境の悪化等を抑制することにより、通信の安定化を図る。【解決手段】無線基地局装置１０１は、自己に接続している無線端末装置の数である接続数が所定条件を満たすか否かを判断するための接続数確認部１１と、接続数が所定条件を満たす場合において、新たな無線端末装置２０２の自己へのハンドオーバ動作が行われる際、または自己に在圏するための処理を行う際、自己に接続している無線端末装置２０２、および上記新たな無線端末装置２０２の各々について、自己に接続することに関する評価値を取得するための評価値算出部１５と、上記評価値に基づいて、自己に接続している無線端末装置２０２、および上記新たな無線端末装置２０２の中から、自己に接続すべき無線端末装置２０２を選択するための接続端末選択部１６とを備える。【選択図】図１２
2013187747.tif 000002
【特許請求の範囲】
【請求項１】
無線端末装置との間で無線信号を送受信することにより前記無線端末装置と通信するための無線基地局装置であって、
自己の無線基地局装置に接続している無線端末装置の数である接続数が所定条件を満たすか否かを判断するための接続数確認部と、
前記接続数が前記所定条件を満たす場合において、新たな無線端末装置の自己の無線基地局装置へのハンドオーバ動作が行われる際、または新たな無線端末装置が自己の無線基地局装置に在圏するための処理を行う際、自己の無線基地局装置に接続している無線端末装置、および前記新たな無線端末装置の各々について、自己の無線基地局装置に接続することに関する評価値を取得するための評価値取得部と、
前記評価値取得部によって取得された前記評価値に基づいて、自己の無線基地局装置に接続している無線端末装置、および前記新たな無線端末装置の中から、自己の無線基地局装置に接続すべき無線端末装置を選択するための接続端末選択部とを備える、無線基地局装置。
【請求項２】
前記評価値取得部は、無線端末装置の通信先の優先度に基づいて前記評価値を算出する、請求項１に記載の無線基地局装置。
【請求項３】
前記評価値取得部は、無線端末装置に付与された優先度、無線端末装置が通信するデータの優先度、および無線端末装置を自己の無線基地局装置から他の無線基地局装置へハンドオーバさせた場合に前記無線端末装置の通信接続が切断される確率、の少なくともいずれか１つに基づいて前記評価値を算出する、請求項１または請求項２に記載の無線基地局装置。
【請求項４】
前記接続端末選択部は、前記評価値および無線端末装置が通信するデータの量に基づいて、自己の無線基地局装置に接続すべき無線端末装置を選択する、請求項１から請求項３のいずれか１項に記載の無線基地局装置。
【請求項５】
前記無線基地局装置は、さらに、
自己の無線基地局装置に接続している無線端末装置、および前記新たな無線端末装置のうち、前記接続端末選択部によって選択されなかった無線端末装置を自己の無線基地局装置から他の無線基地局装置へハンドオーバさせる制御を行うためのハンドオーバ制御部を備える、請求項１から請求項４のいずれか１項に記載の無線基地局装置。
【請求項６】
前記ハンドオーバ制御部は、前記他の無線基地局装置に、前記無線端末装置のハンドオーバの要因として、自己の無線基地局装置によって選択されなかった旨を通知する、請求項５に記載の無線基地局装置。
【請求項７】
前記ハンドオーバ制御部は、前記ハンドオーバ制御部によってハンドオーバされた無線端末装置に、前記無線端末装置のハンドオーバの要因として、自己の無線基地局装置によって選択されなかった旨を通知する、請求項５または請求項６に記載の無線基地局装置。
【請求項８】
前記評価値取得部は、前記新たな無線端末装置のハンドオーバ元の無線基地局装置から送信される情報、または自己の無線基地局装置に在圏するための処理をする際に前記新たな無線端末装置から送信される情報に基づいて、前記評価値を算出する、請求項１から請求項７のいずれか１項に記載の無線基地局装置。
【請求項９】
前記接続数確認部は、前記接続数が、自己の無線基地局装置における接続数の上限より所定個数少ないしきい値よりも大きくなることを前記所定条件とする、請求項１から請求項８のいずれか１項に記載の無線基地局装置。
【請求項１０】
自己の無線基地局装置に接続している無線端末装置について、前記無線端末装置による無線基地局装置への接続を評価する際に使用可能な接続評価情報を作成するための接続評価情報作成部と、
自己の無線基地局装置から他の無線基地局装置への無線端末装置のハンドオーバ動作が行われる場合に、前記他の無線基地局装置へ前記無線端末装置の前記接続評価情報を送信するための接続評価情報送信部とを備える、無線基地局装置。
【請求項１１】
無線基地局装置における通信制御方法であって、
自己の無線基地局装置に接続している無線端末装置について、前記無線端末装置による無線基地局装置への接続を評価する際に使用可能な接続評価情報を作成するステップと、
自己の無線基地局装置から他の無線基地局装置への無線端末装置のハンドオーバ動作が行われる場合に、前記他の無線基地局装置へ前記無線端末装置の前記接続評価情報を送信するステップとを含む、通信制御方法。
【請求項１２】
無線端末装置との間で無線信号を送受信することにより前記無線端末装置と通信するための無線基地局装置において用いられる通信制御プログラムであって、
コンピュータに、
自己の無線基地局装置に接続している無線端末装置の数である接続数が所定条件を満たすか否かを判断するステップと、
前記接続数が前記所定条件を満たす場合において、新たな無線端末装置の自己の無線基地局装置へのハンドオーバ動作が行われる際、または新たな無線端末装置が自己の無線基地局装置に在圏するための処理を行う際、自己の無線基地局装置に接続している無線端末装置、および前記新たな無線端末装置の各々について、自己の無線基地局装置に接続することに関する評価値を取得するステップと、
前記評価値に基づいて、自己の無線基地局装置に接続している無線端末装置、および前記新たな無線端末装置の中から、自己の無線基地局装置に接続すべき無線端末装置を選択するステップとを実行させるための、通信制御プログラム。
【発明の詳細な説明】
【技術分野】
【０００１】
本発明は、無線基地局装置、通信制御方法および通信制御プログラムに関し、特に、無線端末装置が移動動作を行なうことにより複数の無線基地局装置と通信可能な通信システムにおける無線基地局装置、通信制御方法および通信制御プログラムに関する。
【背景技術】
【０００２】
従来、移動通信システムでは、半径数百メートルから数十キロメートルのセルすなわち無線端末装置が通信可能なエリアを形成する無線基地局装置（以下、マクロ基地局とも称する。）による通信サービスが提供されてきた。
【０００３】
近年、移動通信サービスの加入者数の劇的な増加およびデータ通信による通信トラヒック量の増大から、より半径の小さいセルを形成することによって加入者および通信トラヒックを分散し、また、一定レベルの通信速度をユーザへ安定して提供することが望まれている。また、ビルの超高層化に伴う不感地対策のため、企業フロア内および一般家庭内への無線基地局装置の設置も望まれている。
【０００４】
これらの要望と併せて、無線基地局装置で使用される種々のデバイスの処理能力が飛躍的に向上したことによって無線基地局装置の小型化が進み、このような小型化された基地局が注目を集めている。
【０００５】
この小型基地局（以下、フェムト基地局とも称する。）が形成するフェムトセル（Femto Cell）の半径は１０メートル前後と小さいため、フェムト基地局は、マクロ基地局が形成するマクロセル（Macro Cell）の圏外となりマクロ基地局の設置が困難な屋内および地下街等の場所で使用されることが考えられる（たとえば、3GPP（Third Generation Partnership Project） TS 22.220 V11.4.0 2011.12（非特許文献１）参照）。
【０００６】
また、フェムト基地局は特定のエリアに多数設置されることから、フェムト基地局を直接コアネットワークに接続することは難しい。このため、特定のエリアに設置された多数のフェムト基地局を一旦、ＨｅＮＢ−ＧＷ等のゲートウェイ装置に接続し、フェムト基地局とコアネットワークとをＨｅＮＢ−ＧＷ経由で接続することが考えられる。
【０００７】
また、フェムト基地局に加えて、マクロ基地局をベースに、たとえば半径１００メートルから２００メートルのピコセルを形成するピコ基地局も開発されている。
【０００８】
このようなフェムト基地局、ピコ基地局およびマクロ基地局が混在する通信システムであるヘテロジーニアスネットワークでは、たとえばマクロセル内に複数のフェムトセルまたはピコセルが形成される。このため、無線端末装置のハンドオーバが起こりやすくなり、また、ハンドオーバを行なう状況も複雑になる。
【先行技術文献】
【非特許文献】
【０００９】
【非特許文献１】3GPP TS 22.220 V11.4.0 2011.12
【発明の概要】
【発明が解決しようとする課題】
【００１０】
一般には、無線基地局装置に収容可能すなわち同時接続可能な無線端末装置の数には上限があり、特にフェムト基地局における接続数の上限は、数台程度となる場合がある。
【００１１】
無線端末装置が、ヘテロジーニアスネットワークを移動する際において、たとえば接続数が上限に達している無線基地局装置により形成されるセル内へ進入しても、当該無線端末装置は、接続先を当該無線基地局装置へ変更することができない。
【００１２】
この場合、無線端末装置は、接続先を、通信を良好に行うことができる無線基地局装置へ変更することができないので、通信速度の低下およびユーザの使用感の悪化等、種々の問題が生じる。このような問題の発生を抑制し、良好な通信システムを構築する技術が望まれる。
【００１３】
この発明は、上述の課題を解決するためになされたもので、その目的は、無線端末装置の接続数の制限に起因する通信環境の悪化等を抑制することにより、通信の安定化を図ることが可能な無線基地局装置、通信制御方法および通信制御プログラムを提供することである。
【課題を解決するための手段】
【００１４】
（１）上記課題を解決するために、この発明のある局面に係わる無線基地局装置は、無線端末装置との間で無線信号を送受信することにより上記無線端末装置と通信するための無線基地局装置であって、自己の無線基地局装置に接続している無線端末装置の数である接続数が所定条件を満たすか否かを判断するための接続数確認部と、上記接続数が上記所定条件を満たす場合において、新たな無線端末装置の自己の無線基地局装置へのハンドオーバ動作が行われる際、または新たな無線端末装置が自己の無線基地局装置に在圏するための処理を行う際、自己の無線基地局装置に接続している無線端末装置、および上記新たな無線端末装置の各々について、自己の無線基地局装置に接続することに関する評価値を取得するための評価値取得部と、上記評価値取得部によって取得された上記評価値に基づいて、自己の無線基地局装置に接続している無線端末装置、および上記新たな無線端末装置の中から、自己の無線基地局装置に接続すべき無線端末装置を選択するための接続端末選択部とを備える。
【００１５】
このような構成により、無線基地局装置に接続している無線端末装置、および上記新たな無線端末装置についての評価値に基づいて、当該無線基地局装置に接続すべき無線端末装置を適切に選択することができる。
【００１６】
また、無線基地局装置へ接続すべき無線端末装置を優先的に当該無線基地局装置へ接続することにより、無線通信のリソースを有効に利用することができるので、通信システムにおける通信の安定化を図ることができる。
【００１７】
（２）好ましくは、上記評価値取得部は、無線端末装置の通信先の優先度に基づいて上記評価値を算出する。
【００１８】
このような構成により、たとえば１１０番または１１９番等の緊急度の高い通信を行う無線端末装置に対して高い評価値を与え、当該無線端末装置を優先的に選択することができる。
【００１９】
（３）好ましくは、上記評価値取得部は、無線端末装置に付与された優先度、無線端末装置が通信するデータの優先度、および無線端末装置を自己の無線基地局装置から他の無線基地局装置へハンドオーバさせた場合に上記無線端末装置の通信接続が切断される確率、の少なくともいずれか１つに基づいて上記評価値を算出する。
【００２０】
このような構成により、無線端末装置に付与された優先度、無線端末装置が通信するデータの優先度、および上記通信接続が切断される確率を考慮した適切な評価値を算出することができる。
【００２１】
（４）好ましくは、上記接続端末選択部は、上記評価値および無線端末装置が通信するデータの量に基づいて、自己の無線基地局装置に接続すべき無線端末装置を選択する。
【００２２】
このような構成により、無線基地局装置は、自己における通信データの量が上限を超えない範囲で、自己に接続すべき無線端末装置を選択することができる。
【００２３】
これにより、無線基地局装置における通信データの量が当該上限を超えることにより生ずる、無線通信のリソースの不足状態を回避することができる。
【００２４】
（５）好ましくは、上記無線基地局装置は、さらに、自己の無線基地局装置に接続している無線端末装置、および上記新たな無線端末装置のうち、上記接続端末選択部によって選択されなかった無線端末装置を自己の無線基地局装置から他の無線基地局装置へハンドオーバさせる制御を行うためのハンドオーバ制御部を備える。
【００２５】
このような構成により、たとえば通信接続を確立している無線端末装置が、接続数が上限に達している無線基地局装置により形成されるセルへ進入する場合においても、当該無線端末装置における上記通信接続の切断を防ぐことができる。
【００２６】
また、たとえばハンドオーバの対象となる無線端末装置においても、当該無線端末装置における通信接続を切断することなく、当該無線端末装置を上記無線基地局装置から他の無線基地局装置へハンドオーバさせることができる。
【００２７】
（６）より好ましくは、上記ハンドオーバ制御部は、上記他の無線基地局装置に、上記無線端末装置のハンドオーバの要因として、自己の無線基地局装置によって選択されなかった旨を通知する。
【００２８】
このような構成により、選択されなかった無線端末装置のハンドオーバ先となる他の無線基地局装置は、当該無線端末装置のハンドオーバ動作が、通常のハンドオーバ動作でないことを認識することができる。
【００２９】
これにより、たとえば当該無線端末装置のハンドオーバ動作が完了した後、当該無線端末装置における無線リンクが切断された場合においても、ハンドオーバ動作の最適化処理を行うか否かについて判断することができる。
【００３０】
（７）より好ましくは、上記ハンドオーバ制御部は、上記ハンドオーバ制御部によってハンドオーバされた無線端末装置に、上記無線端末装置のハンドオーバの要因として、自己の無線基地局装置によって選択されなかった旨を通知する。
【００３１】
このような構成により、ハンドオーバされた無線端末装置は、接続していた無線基地局装置に選択されなかったことがハンドオーバの要因であると認識することができる。
【００３２】
これにより、当該無線通信端末は、たとえば接続していた無線基地局装置において、優先度の高い通信が発生したためにハンドオーバが発生したことを、自己のユーザに対して提示することができる。
【００３３】
（８）好ましくは、上記評価値取得部は、上記新たな無線端末装置のハンドオーバ元の無線基地局装置から送信される情報、または自己の無線基地局装置に在圏するための処理をする際に上記新たな無線端末装置から送信される情報に基づいて、上記評価値を算出する。
【００３４】
このような構成により、評価値を算出するために有用な情報を、取得することができる。
【００３５】
（９）好ましくは、上記接続数確認部は、上記接続数が、自己の無線基地局装置における接続数の上限より所定個数少ないしきい値よりも大きくなることを上記所定条件とする。
【００３６】
このような構成により、上記所定条件を満たした場合においても無線基地局装置における接続数が上限に達していないので、上記新たな無線端末装置の接続先を、より早いタイミングで当該無線基地局装置へ変更することができる。
【００３７】
（１０）また、この発明の別の局面に係わる無線基地局装置は、自己の無線基地局装置に接続している無線端末装置について、上記無線端末装置による無線基地局装置への接続を評価する際に使用可能な接続評価情報を作成するための接続評価情報作成部と、自己の無線基地局装置から他の無線基地局装置への無線端末装置のハンドオーバ動作が行われる場合に、上記他の無線基地局装置へ上記無線端末装置の上記接続評価情報を送信するための接続評価情報送信部とを備える。
【００３８】
このような構成により、無線端末装置のハンドオーバ先の無線基地局装置は、当該無線端末装置のハンドオーバ元の無線基地局装置から受信した接続評価情報に基づいて、当該無線端末装置の自己へのハンドオーバ動作を行うか否かについて判断することができる。
【００３９】
（１１）また、この発明の別の局面に係わる通信制御方法は、無線基地局装置における通信制御方法であって、自己の無線基地局装置に接続している無線端末装置について、上記無線端末装置による無線基地局装置への接続を評価する際に使用可能な接続評価情報を作成するステップと、自己の無線基地局装置から他の無線基地局装置への無線端末装置のハンドオーバ動作が行われる場合に、上記他の無線基地局装置へ上記無線端末装置の上記接続評価情報を送信するステップとを含む。
【００４０】
このような構成により、無線端末装置のハンドオーバ先の無線基地局装置は、当該無線端末装置のハンドオーバ元の無線基地局装置から受信した接続評価情報に基づいて、当該無線端末装置の自己へのハンドオーバ動作を行うか否かについて判断することができる。
【００４１】
（１２）また、この発明のある局面に係わる通信制御プログラムは、無線端末装置との間で無線信号を送受信することにより上記無線端末装置と通信するための無線基地局装置において用いられる通信制御プログラムであって、コンピュータに、自己の無線基地局装置に接続している無線端末装置の数である接続数が所定条件を満たすか否かを判断するステップと、上記接続数が上記所定条件を満たす場合において、新たな無線端末装置の自己の無線基地局装置へのハンドオーバ動作が行われる際、または自己の無線基地局装置に在圏するための処理を行う際、自己の無線基地局装置に接続している無線端末装置、および上記新たな無線端末装置の各々について、自己の無線基地局装置に接続することに関する評価値を取得するステップと、上記評価値に基づいて、自己の無線基地局装置に接続している無線端末装置、および上記新たな無線端末装置の中から、自己の無線基地局装置に接続すべき無線端末装置を選択するステップとを実行させるためのプログラムである。
【００４２】
このような構成により、無線基地局装置に接続している無線端末装置、および上記新たな無線端末装置についての評価値に基づいて、当該無線基地局装置に接続すべき無線端末装置を適切に選択することができる。
【００４３】
また、無線基地局装置へ接続すべき無線端末装置を優先的に当該無線基地局装置へ接続することにより、無線通信のリソースを有効に利用することができるので、通信システムにおける通信の安定化を図ることができる。
【発明の効果】
【００４４】
本発明によれば、無線端末装置の接続数の制限に起因する通信環境の悪化等を抑制することにより、通信の安定化を図ることができる。
【図面の簡単な説明】
【００４５】
【図１】本発明の実施の形態に係る無線通信システムの構成を示す図である。
【図２】本発明の実施の形態に係る無線通信システムにおいて移動動作が行われる状況の一例を示す図である。
【図３】本発明の実施の形態に係る無線通信システムにおけるセル再選択動作のシーケンスの一例を示す図である。
【図４】本発明の実施の形態に係る無線通信システムにおけるアタッチ処理を示す図である。
【図５】本発明の実施の形態に係る無線通信システムにおけるハンドオーバ動作のシーケンスの一例を示す図である。
【図６】本発明の実施の形態に係る無線通信システムにおいて、不適切なハンドオーバ動作（Ｔｏｏ  Ｅａｒｌｙ  ＨＯ）が生じた状況の一例を示す図である。
【図７】本発明の実施の形態に係る無線通信システムにおいて、不適切なハンドオーバ動作（Ｔｏｏ  Ｅａｒｌｙ  ＨＯ）が生じた状況の一例を示す図である。
【図８】本発明の実施の形態に係る無線通信システムにおける、不適切なハンドオーバ動作（Ｔｏｏ  Ｅａｒｌｙ  ＨＯ）およびその検出処理のシーケンスの一例を示す図である。
【図９】本発明の実施の形態に係る無線通信システムにおいて、接続確立状態の無線端末装置がフェムトセルへ進入する際の移動経路の一例を示す図である。
【図１０】本発明の実施の形態に係る無線通信システムにおいて、接続確立状態の無線端末装置がフェムトセルへ進入する際の移動経路の他の例を示す図である。
【図１１】本発明の実施の形態に係る無線基地局装置の構成を示す図である。
【図１２】本発明の実施の形態に係る無線基地局装置における制御部の構成を示す図である。
【図１３】本発明の実施の形態に係る無線通信システムにおける、ＣＳＧクラスの一例を示す図である。
【図１４】本発明の実施の形態に係る無線通信システムにおける、接続確立状態の無線端末装置に関連するスコアに基づく評価値の算出の一例を示す図である。
【図１５】本発明の実施の形態に係る無線通信システムにおける、アイドル状態の無線端末装置に関連するスコアに基づく評価値の算出の一例を示す図である。
【図１６】本発明の実施の形態に係る無線通信システムにおける、接続確立状態の複数の無線端末装置がフェムトセル内へ移動する際の移動経路の一例を示す図である。
【図１７】本発明の実施の形態に係る無線通信システムにおける、無線端末装置のスコアおよび評価値の一例を示す図である。
【図１８】本発明の実施の形態に係る無線通信システムにおいて、評価値の大きい無線端末装置が、接続数の所定条件を満たす無線基地局装置へのハンドオーバ動作を行う際の動作の一例を示すシーケンス図である。
【図１９】本発明の実施の形態に係る無線通信システムにおいて、評価値の小さい無線端末装置が、接続数の所定条件を満たす無線基地局装置に対してハンドオーバ動作を行う際の動作の一例を示すシーケンス図である。
【図２０】本発明の実施の形態に係る無線通信システムにおいて、無線基地局装置が無線端末装置の接続評価情報を他の無線基地局装置へ送信する際の動作手順を定めたフローチャートである。
【図２１】本発明の実施の形態に係る無線通信システムにおいて、無線基地局装置が無線端末装置の評価値に基づいて、自己に接続すべき無線端末装置の選択を行う際の動作手順を定めたフローチャートである。
【図２２】本発明の実施の形態に係る無線通信システムにおいて、無線基地局装置が無線端末装置の評価値に基づいて、自己に接続すべき無線端末装置の選択を行う際の動作手順を定めたフローチャートである。
【図２３】本発明の実施の形態に係る無線通信システムにおいて、無線基地局装置が無線端末装置の評価値およびＲＬＦ確率に基づいて、自己に接続すべき無線端末装置の選択を行う際の動作手順を定めたフローチャートである。
【図２４】本発明の実施の形態に係る無線通信システムにおいて、無線基地局装置が行う無線端末装置の評価値および通信量に基づいて、自己に接続すべき無線端末装置の選択を行う際の動作手順を定めたフローチャートである。
【図２５】発明の実施の形態に係る無線通信システムにおいて、評価値の大きい無線端末装置が、接続数の所定条件を満たす無線基地局装置へのセル再選択動作を行う際の動作の一例を示すシーケンス図である。
【図２６】本発明の実施の形態に係る無線通信システムにおいて、無線基地局装置が無線端末装置の評価値に基づいて、自己に接続すべき無線端末装置の選択を行う際の動作手順を定めたフローチャートである。
【図２７】本発明の実施の形態に係る無線通信システムにおいて、無線基地局装置が無線端末装置の評価値に基づいて、自己に接続すべき無線端末装置の選択を行う際の動作手順を定めたフローチャートである。
【図２８】本発明の実施の形態に係る無線通信システムにおける、選択されなかった無線端末装置のハンドオーバ動作においてＲＬＦが発生した際の動作の一例を示すシーケンス図である。
【図２９】本発明の実施の形態に係る無線通信システムにおける、選択されなかった無線端末装置のハンドオーバ動作においてＲＬＦが発生した際の動作の他の一例を示すシーケンス図である。
【発明を実施するための形態】
【００４６】
以下、本発明の実施の形態について図面を用いて説明する。なお、図中同一または相当部分には同一符号を付してその説明は繰り返さない。
【００４７】
無線基地局装置は、自らの形成するセルおよび周辺セルについての情報、すなわち無線信号の周波数および周辺セルのＩＤ（identification）等を無線端末装置に通知する。無線端末装置は、無線基地局装置から通知された情報に基づいて、周辺セルの検出および測定を行なう。無線端末装置は、この測定結果に基づいて、周辺セルへの移動を開始する。ここで、無線端末装置の「移動」とは、ハンドオーバを意味することに加えて、セル再選択（Cell Reselection）を意味する。
【００４８】
ハンドオーバとは、ある無線基地局装置との通信接続が確立した状態（以下、接続確立状態と称する）にある無線端末装置の通信接続先が他の無線基地局装置へ切り替えられることを意味する。
【００４９】
セル再選択とは、アイドル状態の無線端末装置が今後通信を開始する、すなわち通話またはデータ通信を開始する際にどのセルを介して通信を行なうかを選択することを意味すし、たとえば３ＧＰＰ  ＴＳ  ３６．３０４に記載の内容が当てはまる。
【００５０】
ハンドオーバ動作は、無線端末装置の通信接続先の無線基地局装置主導で行なわれる。一方、セル再選択は、無線端末装置主導で行なわれ、通常、無線基地局装置が無線端末装置に対して特に指示を与えることなく実行される。
【００５１】
無線端末装置の「アイドル状態」とは、ある無線基地局装置を無線端末装置が通信相手として選択しており、かつ当該無線基地局装置と通信を行っていない状態である。また、「通信を行っていない状態」とは、当該無線基地局装置へ何らかの情報を送信する動作を行っていない状態である。
【００５２】
たとえば、無線端末装置が無線基地局装置と通信しているときには、無線端末装置の移動先は無線基地局装置またはコアネットワークにおける上位装置が決定する。また、たとえば、無線端末装置が無線基地局装置と通信していないときには、無線端末装置の移動先は無線端末装置が決定する。
【００５３】
また、無線端末装置がセルに在圏している、とは、無線端末装置が、当該セルを形成する無線基地局装置を通信先として選択し、かつ当該無線基地局装置と通信可能な状態または通信中である状態を意味する。
【００５４】
具体的には、たとえば、無線端末装置が新たなセルすなわち無線基地局装置へ移動したことを当該無線基地局装置の上位装置が登録した状態を意味する。
【００５５】
また、「在圏」は、無線端末装置の属するトラッキングエリアの更新を上位装置が登録した状態を含むものとする。
【００５６】
すなわち、無線端末装置は、新たなセルへ移動した場合、この移動によって自己の存在するトラッキングエリアすなわちページング処理の対象エリアが変わった場合には、トラッキングエリア更新処理を実行する。
【００５７】
また、無線基地局装置１０１と同時に接続している無線端末装置２０２の数の合計を、以下、当該無線基地局装置１０１の接続数と称する。また、無線基地局装置１０１と接続している無線端末装置２０２は、当該無線基地局装置１０１と接続確立状態にある無線端末装置２０２を意味する。
【００５８】
フェムトセルおよびアクセスモードは、３ＧＰＰ  ＳＰＥＣ  ＴＳ２２．２２０（非特許文献１）において以下のように説明されている。すなわち、フェムト基地局は、無線インタフェースを介して接続されている無線端末装置を、ＩＰバックホール（backhaul）を用いて、移動通信事業者網に接続する顧客構内装置である。
【００５９】
また、フェムトセルのアクセスモードにおいて、クローズドアクセスモードのフェムト基地局は、関連するＣＳＧ（Closed Subscriber Group）メンバーにのみサービスを提供する。また、ハイブリッドモードのフェムト基地局は、関連するＣＳＧメンバーおよびＣＳＧノンメンバーにサービスを提供する。また、オープンアクセスモードのフェムト基地局は、通常の基地局として動作する。
【００６０】
本発明の実施の形態に係る無線通信システムにおいても、このような３ＧＰＰの定義を適用してもよい。
【００６１】
また、上記定義と合わせて、あるいは別個に、以下のような定義を適用することも可能である。
【００６２】
マクロ基地局およびピコ基地局は、事業者の管理下にあり、事業者と契約している無線基地局装置が通信可能な無線基地局装置である。また、マクロ基地局およびピコ基地局は、基本的に電源がオフになることはないと考えられる。
【００６３】
また、フェムト基地局は、主に個人または法人の建物内に設置され、ユーザの事情により移動するまたは電源がオフとなる可能性がある無線基地局装置である。
【００６４】
また、フェムト基地局は、オープン／ハイブリッド／クローズドのいずれかのアクセスモードで動作する。フェムト基地局は、クローズドアクセスモードで動作する場合には、登録済みのメンバー（端末）のみ接続可能となる。また、クローズドアクセスモードで動作する場合には、登録済みのメンバーにのみサービスを提供する。また、ハイブリッドモードで動作する場合には、登録済みのメンバー、および未登録のメンバーすなわちノンメンバーの両方にサービスを提供する。また、オープンアクセスモードで動作する場合には、マクロ基地局およびピコ基地局と同じ動作をする。
【００６５】
［構成および基本動作］
図１は、本発明の実施の形態に係る無線通信システムの構成を示す図である。
【００６６】
図１を参照して、無線通信システム４０１は、たとえば３ＧＰＰで規格化されたＬＴＥ（Long Term Evolution）に従う移動体通信システムであり、無線基地局装置１０１Ａ，１０１Ｂ，１０１Ｃを備える。図１では、３つの無線基地局装置を代表的に示しているが、さらに多数の無線基地局装置が設けられてもよい。無線通信システム４０１は、さらに、コアネットワーク３０１に設けられたＳ−ＧＷ（Serving Gateway）１６１と、ＭＭＥ（Mobility Management Entity）１６２と、Ｐ−ＧＷ（Packet Data Network Gateway）１６３とを含む。
【００６７】
無線端末装置２０２は、無線基地局装置１０１Ａ、無線基地局装置１０１Ｂまたは無線基地局装置１０１Ｃと、Ｓ−ＧＷ１６１と、Ｐ−ＧＷ１６３とを介してＩＰ網３０２におけるサーバ等と通信コネクションを確立し、たとえばＩＰ（Internet Protocol）パケットを含む通信データを送受信する。
【００６８】
より詳細には、無線基地局装置１０１Ａ，１０１Ｂ，１０１Ｃは、無線信号を無線端末装置２０２と送受信することにより、無線端末装置２０２との通信を行なう。
【００６９】
Ｓ−ＧＷ１６１は、無線基地局装置１０１Ａ，１０１Ｂ，１０１ＣとＩＰ網３０２との間に接続されている。Ｓ−ＧＷ１６１は、無線基地局装置１０１Ａ，１０１Ｂ，１０１Ｃ経由で無線端末装置２０２から受信した通信データをＰ−ＧＷ１６３経由でＩＰ網３０２へ送信するとともに、ＩＰ網３０２におけるサーバ等からＰ−ＧＷ１６３経由で受信した通信データを無線基地局装置１０１Ａ，１０１Ｂ，１０１Ｃ経由で無線端末装置２０２へ送信する。
【００７０】
ＭＭＥ１６２は、無線通信システム４０１における無線基地局装置１０１Ａ，１０１Ｂ，１０１Ｃ、および無線端末装置２０２等を管理する。ＭＭＥ１６２は、無線基地局装置１０１Ａ，１０１Ｂ，１０１Ｃとの間で制御メッセージを送受信する。
【００７１】
無線基地局装置１０１Ａ，１０１Ｂ，１０１Ｃは、Ｓ−ＧＷ１６１およびＰ−ＧＷ１６３を介してＩＰ網３０２との間で通信データを送受信する。
【００７２】
無線基地局装置１０１Ａ，１０１Ｂ，１０１ＣおよびＳ−ＧＷ１６１は、論理的なインタフェースであるＳ１−Ｕインタフェースに従う通信データを互いに送受信することにより、Ｓ１−Ｕインタフェース経由で種々の情報を互いにやりとりする。
【００７３】
無線基地局装置１０１Ａ，１０１Ｂ，１０１ＣおよびＭＭＥ１６２は、点線で示すように、論理的なインタフェースであるＳ１−ＭＭＥインタフェースに従う通信データを互いに送受信することにより、Ｓ１−ＭＭＥインタフェース経由で種々の情報を互いにやりとりする。
【００７４】
ＭＭＥ１６２およびＳ−ＧＷ１６１は、論理的なインタフェースであるＳ１１インタフェースに従う通信データを互いに送受信することにより、Ｓ１１インタフェース経由で種々の情報を互いにやりとりする。
【００７５】
Ｓ−ＧＷ１６１およびＰ−ＧＷ１６３は、論理的なインタフェースであるＳ５インタフェースに従う通信データを互いに送受信することにより、Ｓ５インタフェース経由で種々の情報を互いにやりとりする。
【００７６】
図２は、本発明の実施の形態に係る無線通信システムにおいて移動動作が行なわれる状況の一例を示す図である。
【００７７】
図２を参照して、無線基地局装置１０１Ａ，１０１Ｂ，１０１Ｃは、たとえばフェムト基地局、ピコ基地局またはマクロ基地局である。
【００７８】
無線基地局装置１０１Ａは、セルＣＡを形成し、セルＣＡ内に存在する無線端末装置２０２と無線信号を送受信することにより、当該無線端末装置２０２と通信することが可能である。無線基地局装置１０１Ｂは、セルＣＢを形成し、セルＣＢ内に存在する無線端末装置２０２と無線信号を送受信することにより、当該無線端末装置２０２と通信することが可能である。無線基地局装置１０１Ｃは、セルＣＣを形成し、セルＣＣ内に存在する無線端末装置２０２と無線信号を送受信することにより、当該無線端末装置２０２と通信することが可能である。
【００７９】
ここで、無線端末装置からコアネットワーク３０１への方向を上り方向と称し、コアネットワーク３０１から無線端末装置への方向を下り方向と称する。
【００８０】
［セル再選択動作の一例］
本発明の実施の形態に係る無線通信システムにおける無線基地局装置および無線端末装置は、以下の各シーケンスの各ステップを含むプログラムを図示しないメモリから読み出して実行する。このプログラムは、外部からインストールすることができる。このインストールされるプログラムは、たとえば記録媒体に格納された状態で流通する。
【００８１】
以下、無線端末装置２０２の移動元の無線基地局装置をサービング基地局とも称し、移動先の無線基地局装置をターゲット基地局とも称する。また、以下では、無線基地局装置１０１Ａがサービング基地局であり、無線基地局装置１０１Ｂがターゲット基地局である場合について説明する。
【００８２】
本発明の実施の形態に係る無線基地局装置では、セル再選択の実行判断に電力測定処理（Measurement）を利用する。この電力測定処理は、たとえば３ＧＰＰでは、レイヤ３スタックのＲＲＣ（Radio Resource Control）に対応する。
【００８３】
ここで、３ＧＰＰ  ＴＳ３６．１３３  ４．２．２．１章では、セル再選択のためのサービングセルの測定周期について、以下のように記載されている。すなわち、無線端末装置２０２は、少なくともＤＲＸ（Discontinuous Reception）サイクルごとに、サービングセルのＲＳＲＰ（Reference Signal Received Power）レベルを測定し、ＴＳ３６．３０４で定義されるＳ値（Cell Selection Criterion S）とＲＳＲＰレベルとを比較する。
無線端末装置２０２は、サービングセルの測定結果を、少なくとも２回の測定でフィルタリングする。このフィルタリングは、平均化であると考えられる。
フィルタリング対象となる上記測定の組のうち、少なくとも２回の測定は、少なくともＤＲＸサイクルの１／２の間隔を空けて実行しなければならない。これは、測定間隔をＤＲＸサイクルの１／２以上にしなければならないことを意味する、と考えられる。
ここで、３ＧＰＰ  ＴＳ３６．１３３  ４．２．２．１章の表４．２．２．１−１では、ＤＲＸサイクル長［秒］とＤＲＸサイクル数Ｎｓｅｒｖとの対応関係が示されている。具体的には、ＤＲＸサイクル長が０．３２秒、０．６４秒、１．２８秒および２．５６秒のとき、ＤＲＸサイクル数Ｎｓｅｒｖがそれぞれ４，４，２，２である。
無線端末装置２０２は、Ｎｓｅｒｖ回の連続したＤＲＸサイクルにおいて、サービングセルがＳ値を満たしていない場合には、自己の測定（Measurement）機能が何らかの規制により制限されていない限り、サービング基地局から指定されたすべての周辺セルの測定を開始する。すなわち、無線端末装置２０２は、一定期間経過すれば、Ｓ値が条件を満たしていなくても周辺セルの測定を開始する。
【００８４】
このような３ＧＰＰ  ＴＳ３６．１３３の記載から、サービングセルの測定周期として最短でも０．１６秒（１６０ｍｓ）が必要となり、上記のようなＳ値の判定には少なくとも２回の測定が必要となる。このため、周辺セルの測定開始判断には、実質０．３２秒（３２０ｍｓ）以上の間隔が必要になる。
また、Ｓ値が条件を満たしていない状態で周辺セルの測定を開始する場合、周辺セルの測定開始判断には０．３２秒×４回＝１．２８秒の間隔が必要になる。
３ＧＰＰ  ＴＳ３６．１３３  ４．２．２．１章では、ＲＳＲＰについてのみ記載されているが、ＲＳＲＱ（Reference Signal Receive Quality）についてもＲＲＣに従って測定されることから、ＲＳＲＰと同様であると考えられる。
【００８５】
図３は、本発明の実施の形態に係る無線通信システムにおけるセル再選択動作のシーケンスの一例を示す図である。
【００８６】
ここでは、図２に示すように、無線端末装置２０２が、セルＣＡ内に位置し、無線基地局装置１０１Ａを通信相手として選択してから、セルＣＡおよびセルＣＢの重複領域へ移動した場合を想定する。
【００８７】
再び図３を参照して、まず、無線端末装置２０２は、無線基地局装置１０１Ａを新たに通信相手として選択することを決定すると、無線基地局装置１０１Ａから送信される報知情報を受信し（ステップＳ１）、受信した報知情報の内容を保存する（ステップＳ２）。この報知情報に、周辺セル情報、およびセル再選択を行なうための情報が含まれる。
【００８８】
次に、無線端末装置２０２は、コアネットワーク３０１におけるＭＭＥ等に対して新たなセルＣＡへ移動したことを通知するため、端末登録処理であるアタッチ処理（Attach Procedure）を実行する（ステップＳ３）。
【００８９】
次に、無線端末装置２０２は、サービング基地局である無線基地局装置１０１Ａから送信される無線信号の受信電力の測定を開始する。すなわち、無線端末装置２０２は、サービングセルの受信電力の測定を行なう。たとえば、無線端末装置２０２は、当該無線信号に含まれるパイロット信号を用いて受信電力を測定する。この測定周期は、たとえば０．１６秒である（ステップＳ４）。
【００９０】
次に、無線端末装置２０２は、サービングセルのセル評価値であるＳ値を算出し、Ｓ値判定を行なう（ステップＳ５）。
【００９１】
無線端末装置２０２は、サービングセルのＳ値が所定条件を満たす場合には（ステップＳ５でＹＥＳ）、報知情報の示す周波数において、報知情報の示す周辺基地局から送信される無線信号の受信電力の測定を開始する。ここで、周辺基地局は、サービング基地局以外の他の無線基地局装置１０１である。すなわち、無線端末装置２０２は、サービングセルに加えて、周辺セルの受信電力の測定を行なう。たとえば、無線端末装置２０２は、当該無線信号に含まれるパイロット信号を用いて受信電力を測定する（ステップＳ６）。
【００９２】
次に、無線端末装置２０２は、周辺セルのセル評価値であるＳ値を算出し、Ｓ値判定を行なう（ステップＳ７）。
【００９３】
無線端末装置２０２は、周辺セルのＳ値が所定条件を満たす場合には（ステップＳ８）、サービングセルおよび周辺セルの測定結果を用いて、サービングセルおよび周辺セルをたとえば受信電力品質の良い順に順位付けする（ステップＳ８）。
【００９４】
次に、無線端末装置２０２は、順位付けの結果、最上位のセルがサービングセルでは無かった場合には（ステップＳ９でＹＥＳ）、当該最上位セルへのセル再選択を行なう。すなわち、無線端末装置２０２は、最上位の周辺セルに対応する無線基地局装置、たとえば無線基地局装置１０１Ｂを新たに通信相手として選択することを決定する。そして、無線端末装置２０２は、無線基地局装置１０１Ｂからの報知情報を受信し（ステップＳ１０）、受信した報知情報の内容を保存する（ステップＳ１１）。
【００９５】
次に、無線端末装置２０２は、コアネットワーク３０１におけるＭＭＥ等に対して新たなセルＣＢへ移動したことを通知するため、端末登録処理であるアタッチ処理を実行する（ステップＳ１２）。
【００９６】
［アタッチ処理の一例］
図４は、本発明の実施の形態に係る無線通信システムにおけるアタッチ処理を示す図である。図４は、図３におけるステップＳ３またはステップＳ１２の動作を詳細に示すシーケンス図である。
【００９７】
図４を参照して、無線端末装置２０２は、ある無線基地局装置１０１を新たな通信相手として選択すべきであると判断すると、ＲＲＣ（Radio Resource Control）コネクション要求（RRC Connection Request）を無線基地局装置１０１へ送信する（ステップＳ２１）。
【００９８】
次に、無線基地局装置１０１は、無線端末装置２０２からＲＲＣコネクション要求を受信して、ＲＲＣコネクション情報（RRC Connection Setup）を無線端末装置２０２へ送信する（ステップＳ２２）。
【００９９】
次に、無線端末装置２０２は、無線基地局装置１０１からＲＲＣコネクション情報を受信して、ＲＲＣコネクション完了通知（RRC Connection Setup Complete）を送信する（ステップＳ２３）。
【０１００】
次に、無線基地局装置１０１は、無線端末装置２０２からＲＲＣコネクション完了通知を受信して、無線端末装置２０２から受信したアタッチ要求（Attach Request）をＭＭＥ１６２へ送信する。このアタッチ要求は、たとえば、無線端末装置２０２からのＲＲＣコネクション完了通知に含まれる。また、アタッチ要求は、無線端末装置２０２が、あるセルに新たに移動したいので、ＭＭＥ１６２に対して通信許可を要求するために送信される情報である（ステップＳ２４）。
【０１０１】
次に、ＭＭＥ１６２は、認証要求（Authentication Request）を無線基地局装置１０１へ送信する（ステップＳ２５）。
【０１０２】
次に、無線基地局装置１０１は、下り情報を無線端末装置２０２へ送信する。この下り情報に、たとえばＭＭＥ１６２からの認証要求の情報が含まれる（ステップＳ２６）。
【０１０３】
次に、無線端末装置２０２は、上り情報を無線基地局装置１０１へ送信する。この上り情報に、たとえばＭＭＥ１６２への認証応答の情報が含まれる（ステップＳ２７）。
【０１０４】
次に、無線基地局装置１０１は、ＭＭＥ１６２から受信した認証要求に対する認証応答をＭＭＥ１６２へ送信する（ステップＳ２８）。
【０１０５】
次に、ＭＭＥ１６２は、ＮＡＳ（Non-Access Stratum）層のセキュリティ処理として、セキュリティ情報（NAS Security Mode Command）を無線基地局装置１０１へ送信する（ステップＳ２９）。
【０１０６】
次に、無線基地局装置１０１は、下り情報を無線端末装置２０２へ送信する（ステップＳ３０）。
【０１０７】
次に、無線端末装置２０２は、上り情報を無線基地局装置１０１へ送信する（ステップＳ３１）。
【０１０８】
次に、無線基地局装置１０１は、ＭＭＥ１６２から受信したセキュリティ情報に対するセキュリティ完了通知（NAS Security Mode Complete）をＭＭＥ１６２へ送信する（ステップＳ３２）。
【０１０９】
次に、ＭＭＥ１６２は、無線基地局装置１０１からセキュリティ完了通知を受信して、アタッチ受諾（Attach Accept）を無線基地局装置１０１へ送信する（ステップＳ３３）。
【０１１０】
次に、無線基地局装置１０１は、ＭＭＥ１６２からアタッチ受諾を受信して、セキュリティ情報（Security Mode Command）を無線端末装置２０２へ送信する（ステップＳ３４）。
【０１１１】
次に、無線端末装置２０２は、無線基地局装置１０１からセキュリティ情報を受信して、セキュリティ完了通知（Security Mode Complete）を無線基地局装置１０１へ送信する（ステップＳ３５）。
【０１１２】
次に、無線基地局装置１０１は、無線端末装置２０２へＲＲＣ（Radio Resource Control）コネクション再構成指示（RRC Connection Reconfiguration）を送信する（ステップＳ３６）。
【０１１３】
次に、無線端末装置２０２は、無線基地局装置１０１へＲＲＣコネクション再構成完了通知（RRC Connection Reconfiguration Complete）を送信する（ステップＳ３７）。
【０１１４】
次に、無線基地局装置１０１は、無線端末装置２０２からＲＲＣコネクション再構成完了通知を受信して、アタッチ完了通知（Attach Complete）を送信する（ステップＳ３８）。
【０１１５】
次に、ＭＭＥ１６２は、無線基地局装置１０１からアタッチ完了通知を受信して、端末情報解放指示（UE Context Release Command）を無線基地局装置１０１へ送信する（ステップＳ３９）。
【０１１６】
次に、無線基地局装置１０１は、ＭＭＥ１６２から端末情報解放指示を受信して、ＲＲＣコネクション解放要求（RRC Connection Release）を無線端末装置２０２へ送信する。これにより、無線端末装置２０２は、アイドル状態となる（ステップＳ４０）。
【０１１７】
次に、無線基地局装置１０１は、端末情報解放完了通知（UE Context Release Complete）をＭＭＥ１６２へ送信する（ステップＳ４１）。
【０１１８】
［ハンドオーバ動作の一例］
図５は、本発明の実施の形態に係る無線通信システムにおけるハンドオーバ動作のシーケンスの一例を示す図である。
【０１１９】
ここでは、図２に示すように、無線端末装置２０２が、セルＣＡ内に位置し、無線基地局装置１０１Ａと通信中である状態から、セルＣＡおよびセルＣＢの重複領域へ移動した場合を想定する。
【０１２０】
以下、無線端末装置２０２と通信中の無線基地局装置またはハンドオーバ元の無線基地局装置をサービング基地局とも称し、ハンドオーバ先の無線基地局装置をターゲット基地局とも称する。また、以下では、無線基地局装置１０１Ａがサービング基地局であり、無線基地局装置１０１Ｂがターゲット基地局である場合について説明する。
【０１２１】
再び図５を参照して、まず、無線基地局装置１０１Ａは、自己と通信中の無線端末装置２０２の測定対象となる周波数と、当該周波数の無線信号を送信する他の無線基地局装置とを設定する（ステップＳ５１）。
【０１２２】
次に、無線基地局装置１０１Ａは、設定した他の無線基地局装置から送信される無線信号の受信レベルを無線端末装置２０２に測定させるための測定開始要求（Measurement Configuration）を無線端末装置２０２へ送信する。この測定開始要求には、周辺セル情報、すなわち測定対象となる無線基地局装置のセルＩＤが含まれる。また、この測定開始要求には、各無線基地局装置の送信周波数が含まれる（ステップＳ５２）。
【０１２３】
次に、無線端末装置２０２は、無線基地局装置１０１Ａから測定開始要求を受信して、電力測定処理（Measurement）を開始する、すなわち受信した測定開始要求の示す周波数において、測定開始要求の示す無線基地局装置から送信される無線信号の受信電力を測定する（ステップＳ５３）。
【０１２４】
次に、無線端末装置２０２は、この受信電力の測定結果を示す測定結果通知（Measurement Report）を無線基地局装置１０１Ａへ送信する。たとえば、無線端末装置２０２は、受信電力の測定を定期的に行ない、無線基地局装置１０１Ａとの通信状態が悪くなった場合、および無線基地局装置１０１Ａ以外の他の無線基地局装置との通信状態が良くなった場合に、測定結果通知を無線基地局装置１０１Ａへ送信する（ステップＳ５４）。
【０１２５】
次に、無線基地局装置１０１Ａは、無線端末装置２０２から受信した測定結果通知に基づいて、セルＩＤごとの測定結果を示す測定情報を取得し、図示しない記憶部に保存する（ステップＳ５５）。
【０１２６】
次に、無線基地局装置１０１Ａは、無線端末装置２０２から受信した測定結果通知に基づいて、当該無線端末装置２０２がハンドオーバすべきか否かを判断し、ハンドオーバすべきであると判断すると、周辺セル情報を参照してたとえば無線基地局装置１０１Ｂをハンドオーバ先として決定する（ステップＳ５６）。
【０１２７】
次に、無線基地局装置１０１Ａは、無線基地局装置１０１Ｂを示すハンドオーバ要求を上位装置へ送信する（ステップＳ５７）。
【０１２８】
次に、上位装置は、無線基地局装置１０１Ａからハンドオーバ要求を受信して、無線基地局装置１０１Ｂへ当該ハンドオーバ要求を送信する（ステップＳ５８）。
【０１２９】
次に、無線基地局装置１０１Ｂは、上位装置からハンドオーバ要求を受信して、上位装置へ当該ハンドオーバ要求に対するハンドオーバ応答を送信する（ステップＳ５９）。
【０１３０】
次に、上位装置は、無線基地局装置１０１Ｂからハンドオーバ応答を受信して、無線基地局装置１０１Ａへハンドオーバ指示を送信する（ステップＳ６０）。
【０１３１】
次に、無線基地局装置１０１Ａは、上位装置からハンドオーバ指示を受信して、無線端末装置２０２へＲＲＣ（Radio Resource Control）コネクション再構成指示（RRC Connection Reconfiguration）を送信する（ステップＳ６１）。
【０１３２】
次に、無線基地局装置１０１Ａは、上位装置へ自己の通信状態等を示す状態通知を送信する（ステップＳ６２）。
【０１３３】
次に、上位装置は、無線基地局装置１０１Ａから状態通知を受信して、無線基地局装置１０１Ｂへ無線端末装置２０２との通信内容等を示す状態通知を送信する（ステップＳ６３）。
【０１３４】
また、無線端末装置２０２および無線基地局装置１０１Ｂ間でＲＲＣコネクションが確立されると、無線端末装置２０２は、無線基地局装置１０１ＢへＲＲＣコネクション再構成完了通知（RRC Connection Reconfiguration Complete）を送信する（ステップＳ６４）。
【０１３５】
次に、無線基地局装置１０１Ｂは、無線端末装置２０２からＲＲＣコネクション再構成完了通知を受信して、上位装置へハンドオーバ完了通知を送信する（ステップＳ６５）。
【０１３６】
次に、上位装置は、無線基地局装置１０１Ｂからハンドオーバ完了通知を受信して、端末情報解放指示を無線基地局装置１０１Ａへ送信する（ステップＳ６６）。
【０１３７】
次に、無線基地局装置１０１Ａは、上位装置から端末情報解放指示を受信して、無線端末装置２０２に関する情報を解放し、上位装置へ端末情報解放完了通知を送信する（ステップＳ６７）。
【０１３８】
［不適切なハンドオーバ動作の例］
図６および図７は、本発明の実施の形態に係る無線通信システムにおいて、不適切なハンドオーバ動作（Ｔｏｏ  Ｅａｒｌｙ  ＨＯ）が生じた状況の一例を示す図である。
【０１３９】
図６および図７を参照して、無線基地局装置１０１Ｂの形成するセルＣＢは、無線基地局装置１０１Ｂの設置エリアを含むセルＣＢ１と、セルＣＡ内に形成された、無線基地局装置１０１Ｂの設置エリアを含まないセルＣＢ２とで構成される。
【０１４０】
図８は、本発明の実施の形態に係る無線通信システムにおける、不適切なハンドオーバ動作（Ｔｏｏ  Ｅａｒｌｙ  ＨＯ）およびその検出処理のシーケンスの一例を示す図である。
【０１４１】
”Ｔｏｏ  Ｅａｒｌｙ  ＨＯ”は、たとえば以下のような場合をいう。すなわち、無線端末装置２０２がハンドオーバ先の無線基地局装置に対する接続を成功した後、ＲＬＦ（ＲＬＦ：Radio Link Failure）が短時間で発生し、かつ、ハンドオーバ元の無線基地局装置に対して、当該無線端末装置２０２の接続再確立が生じた場合である。
【０１４２】
”Ｔｏｏ  Ｅａｒｌｙ  ＨＯ”の検出方法は、たとえば以下のようになる。すなわち、ハンドオーバ先の無線基地局装置１０１Ｂは、ＲＬＦレポートをハンドオーバ元の無線基地局装置１０１Ａから受信した場合において、当該受信タイミングからさかのぼって所定時間内に、当該無線端末装置２０２の自己へのハンドオーバの完了による端末情報開放指示を無線基地局装置１０１Ａへ送信していたときに、”Ｔｏｏ  Ｅａｒｌｙ  ＨＯ”である旨を無線基地局装置１０１Ａに通知する。
【０１４３】
ここで、無線基地局装置１０１Ｂは、上記所定時間を計測するために、タイマを用いる。これにより、無線基地局装置１０１Ｂは、ＲＬＦレポートを受信した場合において、自己の”Ｔｏｏ  Ｌａｔｅ  ＨＯ”によってＲＬＦが発生したのか、無線基地局装置１０１Ａの”Ｔｏｏ  Ｅａｒｌｙ  ＨＯ”によってＲＬＦが発生したのかを判別することができる。
【０１４４】
ここでは、図６に示すように、無線端末装置２０２が、セルＣＡ内に位置し、無線基地局装置１０１Ａと通信中である状態から、セルＣＢ２内へ移動した場合（ステップＳ７０）を想定する。
【０１４５】
図６〜図８を参照して、まず、無線端末装置２０２は、無線基地局装置から送信される無線信号の受信電力を測定し、測定した受信電力の測定結果を示す測定結果通知を無線基地局装置１０１Ａ（Source eNB, Serving eNB)へ送信する（ステップＳ７１）。
【０１４６】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ７２）。
【０１４７】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ７３）。
【０１４８】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ７４）。
【０１４９】
次に、無線基地局装置１０１Ａは、無線基地局装置１０１Ｂからハンドオーバ応答を受信して、無線端末装置２０２へＲＲＣコネクション再構成指示（RRC Connection Reconfiguration）を送信する（ステップＳ７５）。
【０１５０】
次に、無線端末装置２０２および無線基地局装置１０１Ｂ間でＲＲＣコネクションが確立されると、無線端末装置２０２は、ＲＲＣコネクション再構成完了通知（RRC Connection Reconfiguration Complete）を無線基地局装置１０１Ｂへ送信する（ステップＳ７６）。
【０１５１】
次に、無線基地局装置１０１Ｂは、無線端末装置２０２からＲＲＣコネクション再構成完了通知を受信して、端末情報解放指示を無線基地局装置１０１Ａへ送信する（ステップＳ７７）。
【０１５２】
また、無線基地局装置１０１Ｂは、無線端末装置２０２のセルＣＢにおける滞在時間を計測するために、タイマをスタートさせる（ステップＳ７８）。
【０１５３】
次に、無線基地局装置１０１Ａは、無線基地局装置１０１Ｂから端末情報解放指示を受信して、無線端末装置２０２に関する情報（UE Context）を解放する（ステップＳ７９）。
【０１５４】
以上により、無線端末装置２０２の無線基地局装置１０１Ａから無線端末装置２０２Ｂへのハンドオーバが完了する（ステップＳ８０）。
【０１５５】
ここで、無線端末装置２０２が、測定結果通知（Measurement Report）を無線基地局装置１０１Ｂへ送信する前に、セルＣＢの圏外かつセルＣＡの圏内に移動する（ステップＳ８１）。
【０１５６】
そうすると、無線端末装置２０２は、無線基地局装置１０１Ｂと通信できなくなることから、ＲＬＦが発生してしまう（ステップＳ８３）。
【０１５７】
次に、無線端末装置２０２は、ＲＬＦ発生を検出すると、無線信号の受信電力の測定等によって周辺の無線基地局装置の探索を行ない、探索した無線基地局装置１０１Ａに再接続するために、ＲＲＣコネクション再確立要求（RRC Connection Reestablishment Request）を送信する（ステップＳ８４）。
【０１５８】
次に、無線基地局装置１０１Ａは、当該無線端末装置２０２に関する情報（UE Context）を解放済みであり、保持していないことから、当該無線端末装置２０２からのＲＲＣコネクション再確立要求を受け入れることができず（ステップＳ８５）、ＲＲＣコネクション再確立拒絶を当該無線端末装置２０２へ送信する（ステップＳ８６）。
【０１５９】
次に、無線端末装置２０２は、ＲＲＣコネクション再確立拒絶を無線基地局装置１０１Ａから受信すると、無線基地局装置１０１Ａと通常の接続手順をスタートさせる（ステップＳ８７）。
【０１６０】
すなわち、まず、無線端末装置２０２は、ＲＲＣコネクション要求（RRC Connection Request）を無線基地局装置１０１Ａへ送信する（ステップＳ８８）。
【０１６１】
次に、無線基地局装置１０１Ａは、無線端末装置２０２からＲＲＣコネクション要求を受信して、ＲＲＣコネクション情報（RRC Connection Setup）を無線端末装置２０２へ送信する（ステップＳ８９）。
【０１６２】
次に、無線端末装置２０２は、無線基地局装置１０１ＡからＲＲＣコネクション情報を受信して、ＲＲＣコネクション完了通知（RRC Connection Setup Complete）を送信する（ステップＳ９０）。
【０１６３】
次に、無線基地局装置１０１Ａは、無線端末装置２０２からＲＲＣコネクション完了通知を受信して、セキュリティ情報（Security Mode Command）を無線端末装置２０２へ送信する（ステップＳ９１）。
【０１６４】
次に、無線端末装置２０２は、無線基地局装置１０１Ａからセキュリティ情報を受信して、セキュリティ完了通知（Security Mode Complete）を無線基地局装置１０１Ａへ送信する（ステップＳ９２）。
【０１６５】
次に、無線基地局装置１０１Ａは、無線端末装置２０２へＲＲＣコネクション再構成指示（RRC Connection Reconfiguration）を送信する（ステップＳ９３）。
【０１６６】
次に、無線端末装置２０２および無線基地局装置１０１Ａ間でＲＲＣコネクションが確立されると、無線端末装置２０２は、無線基地局装置１０１ＡへＲＲＣコネクション再構成完了通知（RRC Connection Reconfiguration Complete）を送信する（ステップＳ９４）。
【０１６７】
ここで、ＲＲＣコネクション完了通知およびＲＲＣコネクション再構成完了通知は、たとえば”rlf-InfoAvailable”というパラメータを含む。無線端末装置２０２は、このパラメータを設定してＲＲＣコネクション完了通知およびＲＲＣコネクション再構成完了通知を送信する。これにより、無線基地局装置１０１Ａは、当該無線端末装置２０２についてＲＬＦの発生があったことを認識する。無線基地局装置１０１Ａは、ＲＬＦの詳細な情報を取得するため、端末情報要求（UE Information Request）を無線端末装置２０２へ送信する（ステップＳ９５）。
【０１６８】
次に、無線端末装置２０２は、無線基地局装置１０１Ａから端末情報要求を受信して、ＲＬＦレポートを含む端末情報応答（UE Information Response）を無線基地局装置１０１Ａへ送信する（ステップＳ９６）。ＲＬＦレポートは、ＲＬＦの発生した無線基地局装置のＰＣＩ（Physical Cell ID）、ＲＲＣコネクション再確立の発生した無線基地局装置のＰＣＩおよびＥＣＧＩ（E- UTRAN Cell Global Identifier）ならびに自己の無線端末装置２０２のＣ−ＲＮＴＩ（Cell Radio Network Temporary Identifier）を含む。ここでは、ＲＬＦ発生のＰＣＩは無線基地局装置１０１ＢのＩＤであり、ＲＲＣコネクション再確立発生のＰＣＩおよびＥＣＧＩは無線基地局装置１０１ＡのＩＤであり、Ｃ−ＲＮＴＩは無線基地局装置１０１Ｂが付与したＩＤである。
【０１６９】
次に、無線基地局装置１０１Ａは、無線端末装置２０２から受信したＲＬＦレポートのＰＣＩを参照することにより、無線基地局装置１０１ＢにおいてＲＬＦが発生しことを認識し、セルＣＡへの”Ｔｏｏ  Ｌａｔｅ  ＨＯ”が発生したと判断する（ステップＳ９７）。
【０１７０】
次に、無線基地局装置１０１Ａは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ｂへ送信する（ステップＳ９８）。
【０１７１】
次に、無線基地局装置１０１Ｂは、無線基地局装置１０１ＡからＲＬＦ通知を受信すると、スタートさせておいたタイマを確認し、タイマが動作している場合、すなわちタイマをスタートさせてから所定時間経過していない場合には、セルＣＡへの”Ｔｏｏ  Ｌａｔｅ  ＨＯ”ではなく、セルＣＢへの”Ｔｏｏ  Ｅａｒｌｙ  ＨＯ”であると判断する。なお、無線基地局装置１０１Ｂは、無線基地局装置１０１ＡからＲＬＦ通知を受信したときにタイマが動作していない場合、すなわちタイマをスタートさせてから上記所定時間経過している場合には、セルＣＡへの”Ｔｏｏ  Ｌａｔｅ  ＨＯ”であると判断する。
【０１７２】
無線基地局装置１０１Ｂは、セルＣＢへの”Ｔｏｏ  Ｅａｒｌｙ  ＨＯ”であると判断すると（ステップＳ９９）、ハンドオーバレポートを無線基地局装置１０１Ａへ送信する（ステップＳ１００）。このハンドオーバレポートは、たとえば”Ｈａｎｄｏｖｅｒ  Ｒｅｐｏｒｔ  Ｔｙｐｅ”というパラメータを含む。無線基地局装置１０１Ｂは、このパラメータを所定値に設定することにより、”Ｔｏｏ  Ｅａｒｌｙ  ＨＯ”を無線基地局装置１０１Ａに通知する。
【０１７３】
次に、無線基地局装置１０１Ａは、無線基地局装置１０１Ｂから当該ハンドオーバレポートを受信して、セルＣＢへの”Ｔｏｏ  Ｅａｒｌｙ  ＨＯ”が発生したことを認識し（ステップＳ１０１）、”Ｔｏｏ  Ｅａｒｌｙ  ＨＯ”の発生が抑制されるように、ハンドオーバ動作の最適化処理を実行する（ステップＳ１０２）。
【０１７４】
［接続数が上限に達した無線基地局装置において発生する問題点］
図９は、本発明の実施の形態に係る無線通信システムにおいて、接続確立状態の無線端末装置がフェムトセルへ進入する際の移動経路の一例を示す図である。
図９を参照して、無線基地局装置１０１Ａは、たとえばマクロ基地局であり、マクロセルＭＣＡを形成する。また、無線基地局装置１０１Ｂは、たとえばクローズドアクセスモードのフェムト基地局であり、フェムトセルＦＣＢを形成する。フェムトセルＦＣＢは、マクロセルＭＣＡに含まれる。
【０１７５】
また、たとえば、無線端末装置２０２Ａは、図９に示すようにフェムトセルＦＣＢ外かつマクロセルＭＣＡ内に位置し、無線基地局装置１０１ＢのＣＳＧメンバーではない。また、無線端末装置２０２Ａは、無線基地局装置１０１Ａと接続確立状態にあり、かつ無線基地局装置１０１Ａと十分離れた位置にある場合を想定する。
【０１７６】
無線端末装置２０２Ａは、たとえば無線基地局装置１０１Ａとの接続確立状態において、フェムトセルＦＣＢ内へ進入する（ステップＳ３０２）。ところが、無線端末装置２０２Ａは、無線基地局装置１０１ＢのＣＳＧメンバーでないので無線基地局装置１０１Ｂと接続できない。このため、無線端末装置２０２Ａは、フェムトセルＦＣＢ内に位置する場合においても、無線基地局装置１０１Ａとの接続確立状態にある。
【０１７７】
また、無線端末装置２０２Ａは、無線基地局装置１０１Ａと十分離れた位置にあるので、送信する無線信号の電力は大きい。一方、フェムトセルの半径は１０メートル前後であるので、無線基地局装置１０１Ｂは、自己の近傍に位置する無線端末装置２０２Ａから大電力の無線信号を受信することになる。
【０１７８】
このため、クローズドアクセスモードである無線基地局装置１０１Ｂにおいて、ＣＳＧメンバーでない無線端末装置２０２Ａにより送信される無線信号に起因する干渉が発生してしまう。
【０１７９】
ハイブリッドモードのフェムト基地局は、この干渉問題を解決するために、関連するＣＳＧメンバーおよびＣＳＧノンメンバーにサービスを提供する。また、無線基地局装置１０１と接続している無線端末装置２０２の数である接続数の上限は、無線基地局装置１０１の種別により異なり、たとえば、フェムト基地局の接続数の上限は、数台程度である。
【０１８０】
ハイブリッドモードのフェムト基地局は、接続数が上限に達するまでは、オープンアクセスモードで動作するので通常の基地局と同じ動作をする。図９を参照して、たとえば、無線基地局装置１０１Ｂがハイブリッドモードのフェムト基地局であり、かつ当該フェムト基地局の接続数が上限に達していない場合を想定すると、無線基地局装置１０１Ａと接続確立状態の無線端末装置２０２ＡがフェムトセルＦＣＢ内へ進入する場合（ステップＳ３０２）、以下の動作が行われる。
【０１８１】
すなわち、無線端末装置２０２Ａは、たとえば領域ＡＢ１においてハンドオーバ動作が実行され、無線端末装置２０２Ａの通信接続先は、無線基地局装置１０１Ａから無線基地局装置１０１Ｂへ変更される。
【０１８２】
これにより、無線端末装置２０２Ａは、無線基地局装置１０１Ｂと接続確立状態となるため、上記干渉の発生を防ぐことができる。
【０１８３】
しかしながら、たとえば無線基地局装置１０１Ｂの接続数が上限に達している場合には、以下の問題が発生してしまう。
【０１８４】
図１０は、本発明の実施の形態に係る無線通信システムにおいて、接続確立状態の無線端末装置がフェムトセルへ進入する際の移動経路の他の例を示す図である。
図１０を参照して、無線基地局装置１０１Ａは、たとえばマクロ基地局であり、マクロセルＭＣＡを形成する。また、無線基地局装置１０１Ｂは、たとえばハイブリッドモードのフェムト基地局であり、フェムトセルＦＣＢを形成し、接続数の上限は２台である。フェムトセルＦＣＢは、マクロセルＭＣＡに含まれる。
【０１８５】
また、無線端末装置２０２Ｂ，２０２Ｃは、たとえば無線基地局装置１０１Ｂに関連するＣＳＧメンバーまたはＣＳＧノンメンバーのどちらかであり、図１０に示すようにフェムトセルＦＣＢ内に位置し、無線基地局装置１０１Ｂと接続確立状態にある。すなわち、無線基地局装置１０１Ｂの接続数は、上限に達している状態にある。
【０１８６】
また、無線端末装置２０２Ａは、たとえば無線基地局装置１０１Ｂに関連するＣＳＧメンバーまたはＣＳＧノンメンバーのどちらかであり、無線基地局装置１０１Ａと接続確立状態にあり、図１０に示すようにフェムトセルＦＣＢ外かつマクロセルＭＣＡ内に位置する。
【０１８７】
無線端末装置２０２Ａは、たとえば無線基地局装置１０１Ａを経由して１１９番等の緊急性の高い通話、または大きな通信速度が必要なテレビ電話等を行っている場合において、フェムトセルＦＣＢ内へ進入する（ステップＳ３０４）。
【０１８８】
この際、無線端末装置２０２Ａは、たとえば他の無線基地局装置１０１により送信される無線信号の受信電力を測定し、この受信電力の測定結果を示す測定結果通知を無線基地局装置１０１Ａへ送信する（ステップＳ３０６）。
【０１８９】
次に、無線基地局装置１０１Ａは、無線端末装置２０２Ａから受信した測定結果通知に基づいて、無線端末装置２０２Ａがハンドオーバすべきか否かを判断し、ハンドオーバすべきであると判断すると、周辺セル情報を参照してたとえば無線基地局装置１０１Ｂをハンドオーバ先として決定する。
【０１９０】
次に、無線基地局装置１０１Ａは、無線基地局装置１０１Ｂを示すハンドオーバ要求を無線基地局装置１０１Ｂへ送信する（ステップＳ３０８）。
【０１９１】
次に、無線基地局装置１０１Ｂは、無線基地局装置１０１Ａからハンドオーバ要求を受信すると、自己における接続数が上限に達しているので、当該ハンドオーバ要求を拒否すると判断する。
【０１９２】
次に、無線基地局装置１０１Ｂは、ハンドオーバ拒否を無線基地局装置１０１Ａへ送信する（ステップＳ３１０）。
【０１９３】
すなわち、無線端末装置２０２Ａは、フェムトセルＦＣＢ内へ移動しても、通信接続先を自己の近傍に位置する無線基地局装置１０１Ｂへ変更できない。このため、無線端末装置２０２Ａは、１１９番等の緊急性の高い通話または大きな通信速度が必要なテレビ電話等を行っている場合においても、良好な通信品質および大きな通信速度が期待できる、無線基地局装置１０１Ｂを介した通信を行うことができないという問題が発生する。
【０１９４】
なお、上記の例では、無線端末装置２０２が接続確立状態のままフェムトセルＦＣＢ内へ進入する場合について想定したが、無線端末装置２０２がアイドル状態のままフェムトセルＦＣＢ内へ進入する場合についても同様に議論できる。
【０１９５】
すなわち、無線端末装置２０２Ａは、たとえば緊急時用の無線端末装置２０２であり、これから１１９番等の緊急性の高い通話を開始しようとする状況において、フェムトセルＦＣＢ内へ進入する。ところが、無線基地局装置１０１Ｂの接続数が上限に達しているので、無線端末装置２０２Ａは、無線基地局装置１０１Ｂを経由して通話を開始することができない。
【０１９６】
すなわち、無線端末装置２０２Ａは、アイドル状態においてフェムトセルＦＣＢ内へ移動しても、自己の近傍に位置する無線基地局装置１０１Ｂを経由して通話を開始することができない。
【０１９７】
このため、無線端末装置２０２Ａは、通信条件の悪い、たとえば無線基地局装置１０１Ａを経由して、１１９番等の緊急性の高い通話を開始しなければならないという問題が発生する。
【０１９８】
そこで、本発明の実施の形態に係る無線基地局装置１０１では、以下の構成および動作により、上記問題を解決する。
【０１９９】
［無線基地局装置の構成］
図１１は、本発明の実施の形態に係る無線基地局装置の構成を示す図である。
図１１を参照して、無線基地局装置１０１は、アンテナ９１と、サーキュレータ９２と、無線受信部９３と、無線送信部９４と、信号処理部９５と、制御部９８とを備える。信号処理部９５は、受信信号処理部９６と、送信信号処理部９７とを含む。信号処理部９５および制御部９８は、ＣＰＵ（Central Processing Unit）またはＤＳＰ（Digital Signal Processor）等によって実現される。
【０２００】
サーキュレータ９２は、アンテナ９１において受信された無線端末装置２０２からの無線信号を無線受信部９３へ出力し、また、無線送信部９４から受けた無線信号をアンテナ９１へ出力する。
【０２０１】
無線受信部９３は、サーキュレータ９２から受けた無線信号をベースバンド信号またはＩＦ（Intermediate Frequency）信号に周波数変換し、この周波数変換した信号をデジタル信号に変換して受信信号処理部９６へ出力する。
【０２０２】
受信信号処理部９６は、無線受信部９３から受けたデジタル信号に対してＣＤＭＡ（Code Division Multiple Access）方式における逆拡散等の信号処理を行ない、この信号処理後のデジタル信号の一部または全部を所定のフレームフォーマットに変換してコアネットワーク３０１側へ送信する。
【０２０３】
送信信号処理部９７は、コアネットワーク３０１側から受信した通信データを所定のフレームフォーマットに変換した通信データまたは自ら生成した通信データに対してＯＦＤＭ（Orthogonal Frequency Division Multiplex）方式におけるＩＦＦＴ（Inverse Fast Fourier Transform）等の信号処理を行ない、この信号処理後のデジタル信号を無線送信部９４へ出力する。
【０２０４】
無線送信部９４は、送信信号処理部９７から受けたデジタル信号をアナログ信号に変換し、変換したアナログ信号を無線信号に周波数変換してサーキュレータ９２へ出力する。
【０２０５】
制御部９８は、無線基地局装置１０１における各ユニットおよびコアネットワーク３０１との間で各種情報をやり取りする。
【０２０６】
図１２は、本発明の実施の形態に係る無線基地局装置における制御部の構成を示す図である。
図１２を参照して、制御部９８は、接続数確認部１１と、移動動作検出部（評価値取得部）１２と、接続情報処理部（評価値取得部および接続評価情報作成部）１３と、スコア付与部（評価値取得部）１４と、評価値算出部（評価値取得部）１５と、接続端末選択部１６と、メッセージ送信部（接続評価情報送信部）１７と、ハンドオーバ制御部１８とを含む。
【０２０７】
接続数確認部１１は、自己の無線基地局装置１０１に接続している無線端末装置２０２の数である接続数が所定条件を満たすか否かを判断する。具体的には、接続数確認部１１は、たとえば自己の無線基地局装置１０１の接続数が、当該無線基地局装置１０１の接続数の上限と同じ値となっている場合に、上記所定条件を満たすと判断する。
【０２０８】
移動動作検出部１２は、上記所定条件を満たす場合に、自己の無線基地局装置１０１と接続していない新たな無線端末装置２０２の自己の無線基地局装置１０１へのハンドオーバ動作処理の発生、または新たな無線端末装置２０２が自己の無線基地局装置１０１に在圏するための処理の発生を検出する。以下、上記新たな無線端末装置２０２を接続要求端末と称する。
【０２０９】
具体的には、移動動作検出部１２は、自己の無線基地局装置１０１がコアネットワーク３０１またはＸ２インタフェースを介して他の無線基地局装置１０１から受信するハンドオーバ要求を監視する。
【０２１０】
そして、移動動作検出部１２は、上記所定条件を満たす場合においてハンドオーバ要求を受信すると、接続要求端末の自己の無線基地局装置１０１へのハンドオーバ動作処理が発生したことを検出する。
【０２１１】
また、移動動作検出部１２は、たとえば上記接続要求端末による当該無線基地局装置１０１への接続を評価する際に使用可能な接続評価情報が、当該ハンドオーバ要求に含まれる場合、当該接続評価情報をスコア付与部１４へ出力する。
【０２１２】
接続評価情報は、たとえば、ハンドオーバ動作の対象となる無線端末装置２０２の識別子であるＩＤ、当該無線端末装置２０２の通信先の優先度を示す緊急度、当該無線端末装置２０２が送受信するデータの優先度を示すＱＣＩ（QoS（Quality of Service） Class Identifier）および当該無線端末装置２０２が所定時間当たりに送受信するデータの量を示す通信量等が含まれる。緊急度およびＱＣＩの詳細については後述する。
【０２１３】
緊急度は、たとえば当該ハンドオーバ要求に含まれるハンドオーバ要求理由通知により示される。ハンドオーバ要求理由通知は、具体的には、ハンドオーバ要求に含まれるＩＥ（Information Elements）の一種であるＣａｕｓｅに含まれる緊急通話ハンドオーバ（Emergency Call Handover）である。
【０２１４】
また、ＱＣＩは、たとえば当該ハンドオーバ要求に含まれるＱｏＳ通知により示される。ＱｏＳ通知は、具体的には、ハンドオーバ要求に含まれるＩＥの一種であるＱｏＳパラメータ（E-RAB（E-UTRAN Radio Access Bearer） Level QoS Parameters）である。
【０２１５】
また、移動動作検出部１２は、接続要求端末がコアネットワーク３０１におけるＭＭＥ１６２へ送信するアタッチ要求を監視する。当該アタッチ要求は、たとえば接続要求端末が通信相手となる無線基地局装置１０１を変更したいので、ＭＭＥ１６２に対して通信許可を要求するために送信される情報であり、アクセスクラスの情報を有するＮＡＳメッセージを含む。アクセスクラスについては後述する。
【０２１６】
そして、移動動作検出部１２は、上記所定条件を満たす場合においてアタッチ要求を受信すると、接続要求端末が自己の無線基地局装置１０１に在圏するための処理が発生したことを検出する。
【０２１７】
接続情報処理部１３は、自己の無線基地局装置１０１および自己の無線基地局装置１０１に接続している無線端末装置２０２間で送受信される情報に基づいて、当該無線端末装置２０２についての接続情報を取得する。以下、当該無線基地局装置１０１に接続している無線端末装置２０２を接続済端末と称する。
【０２１８】
具体的には、接続情報処理部１３は、たとえば自己の無線基地局装置１０１および自己の無線基地局装置１０１と接続確立状態にある無線端末装置２０２間で送受信される情報から、以下の情報を取得する。
【０２１９】
すなわち、接続情報処理部１３は、当該無線端末装置２０２のＩＤ、当該無線端末装置２０２の通信先の緊急度、当該無線端末装置２０２が送受信するデータのＱＣＩ、および当該無線端末装置２０２における通信量を接続情報として取得する。
【０２２０】
また、接続情報処理部１３は、接続要求端末が自己の無線基地局装置１０１に在圏するための処理を行う際には、当該接続要求端末のアクセスクラスを接続情報として取得する。
【０２２１】
そして、接続情報処理部１３は、無線端末装置２０２毎に取得した接続情報をスコア付与部１４へ出力する。
【０２２２】
また、接続情報処理部１３は、接続情報に基づいて接続評価情報を作成する。そして、接続情報処理部１３は、たとえば自己の無線基地局装置１０１と接続確立状態にある無線端末装置２０２を他の無線基地局装置１０１へハンドオーバさせる場合には、当該無線端末装置２０２についての接続評価情報をメッセージ送信部１７へ出力する。
【０２２３】
スコア付与部１４は、接続情報処理部１３から受けた接続情報、および移動動作検出部１２から受けた接続評価情報に基づいて、接続要求端末および接続済端末に、当該接続情報および当該接続評価情報に応じたスコアを付与する。そして、スコア付与部１４は、接続要求端末および接続済端末に関するスコアを評価値算出部１５へ出力する。
【０２２４】
より詳細には、スコア付与部１４は、たとえば接続要求端末および接続済端末の合計台数であるｎ台分の接続情報または接続評価情報を受けると、ｉ（ｉ＝１、２、・・・、ｎ）番目の無線端末装置２０２の接続情報または接続評価情報に基づいて、当該ｉ番目の無線端末装置２０２に対してスコアを付与する。
【０２２５】
スコア付与部１４は、１番目からｎ番目までの無線端末装置２０２に対して上記処理を行い、付与したスコアを評価値算出部１５へ出力する。
【０２２６】
また、スコア付与部１４は、１番目からｎ番目までの無線端末装置２０２における通信量を示すＬ［ｉ］（ｉ＝１、２、・・・、ｎ）を接続端末選択部１６へ出力する。
【０２２７】
図１３は、本発明の実施の形態に係る無線通信システムにおける、ＣＳＧクラスの一例を示す図である。
図１４は、本発明の実施の形態に係る無線通信システムにおける、接続確立状態の無線端末装置に関連するスコアに基づく評価値の算出の一例を示す図である。
【０２２８】
図１５は、本発明の実施の形態に係る無線通信システムにおける、アイドル状態の無線端末装置に関連するスコアに基づく評価値の算出の一例を示す図である。
図１３を参照して、ＣＳＧクラスは、無線端末装置２０２に付与された優先度を示し、たとえばＡ、Ｂ、ＣおよびＤの４種類ある。
【０２２９】
そして、図１４の（Ａ）および図１５の（Ａ）に示すように、各ＣＳＧクラスには、スコアが対応付けられる。具体的には、Ａ、Ｂ、ＣおよびＤのＣＳＧクラスには、たとえばそれぞれ５、３、２および１のスコアが対応付けられる。
【０２３０】
たとえば、クローズドアクセスモードおよびハイブリッドモードのフェムト基地局では、当該フェムト基地局のＣＳＧメンバーである無線端末装置２０２のＩＤが、ＣＳＧクラスに対応付けて登録される。
【０２３１】
また、オープンアクセスモードのフェムト基地局でも、無線端末装置２０２のＩＤが、ＣＳＧクラスに対応付けて登録されてもよい。
【０２３２】
スコア付与部１４は、たとえば接続情報または接続評価情報に含まれる無線端末装置２０２のＩＤに基づいて、当該無線端末装置２０２に対応付けられるＣＳＧクラスを判断する。
【０２３３】
そして、スコア付与部１４は、たとえばｉ番目の無線端末装置２０２のＣＳＧクラスを判断すると、判断したＣＳＧクラスに応じたスコアをｘ［ｉ］として評価値算出部１５へ出力する。
【０２３４】
また、図１４の（Ｂ）に示すように、緊急度には、スコアが対応付けられる。たとえば、１１０番および１１９番等の優先度が高い緊急通話の緊急度には、１０のスコアが対応付けられ、また、緊急通話以外の優先度が低い通常の音声通話またはメール等のデータ通信等の緊急度には、１のスコアが対応付けられる。
【０２３５】
スコア付与部１４は、たとえば接続情報または接続評価情報に含まれる緊急度に基づいて、以下の処理を行う。すなわち、スコア付与部１４は、たとえばｉ番目の無線端末装置２０２に関する緊急度を受けると、受けた緊急度に応じたスコアをｙ［ｉ］として評価値算出部１５へ出力する。
【０２３６】
また、図１４の（Ｃ）に示すように、各ＱＣＩには、スコアが対応付けられる。ＱＣＩは、具体的には、無線端末装置２０２が送受信するデータの種類に応じて１から９までの数値が割り当てられる。
【０２３７】
たとえば、当該データの種類が通話の音声の場合には「１」が割り当てられる。また、たとえば、当該データの種類がテレビ電話における映像の場合には「２」、当該データの種類がオンラインゲームの場合には「３」、当該データの種類がテレビ電話以外の映像の場合には「４」が割り当てられる。
【０２３８】
ＱＣＩの値が１、２、３および４の場合には、それぞれ５、４、３および２のスコアが対応付けられる。また、ＱＣＩの値が１、２、３および４以外の場合には、１のスコアが対応付けられる。
【０２３９】
スコア付与部１４は、たとえば接続情報または接続評価情報に含まれるＱＣＩに基づいて、以下の処理を行う。すなわち、スコア付与部１４は、たとえばｉ番目の無線端末装置２０２に関するＱＣＩを受けると、受けたＱＣＩに応じたスコアをｚ［ｉ］として評価値算出部１５へ出力する。
【０２４０】
また、図１５の（Ｂ）に示すように、各アクセスクラスには、スコアが対応付けられる。アクセスクラスは、たとえば無線端末装置２０２に付与された優先度を示し、当該無線端末装置２０２の種別に応じて０から１５までの数値が割り当てられる。
【０２４１】
具体的には、たとえば船舶等に設置された緊急時用の無線端末装置２０２には、アクセスクラスとして「１０」が割り当てられ、また、当該無線端末装置２０２以外の無線端末装置２０２には、「１０」以外の数値が割り当てられる。
【０２４２】
アクセスクラスが１０の緊急電話には、たとえば５０のスコアが対応付けられ、また、アクセスクラスが１０以外の電話には、５のスコアが対応付けられる。
【０２４３】
スコア付与部１４は、たとえば接続情報に含まれるアクセスクラスに基づいて、以下の処理を行う。すなわち、スコア付与部１４は、たとえばｉ番目の無線端末装置２０２に関するアクセスクラスを受けると、受けたアクセスクラスに応じたスコアをｙ［ｉ］として、評価値算出部１５へ出力する。
【０２４４】
この際、スコア付与部１４は、アクセスクラスに応じたスコアであるｙ［ｉ］を出力する旨を評価値算出部１５へ通知してもよい。
【０２４５】
図１４を参照して、評価値算出部１５は、接続要求端末および接続済端末に関するスコアをスコア付与部１４から受けると、受けたスコアに基づいて、評価値を算出する。
【０２４６】
より詳細には、評価値算出部１５は、たとえば自己の無線基地局装置１０１と接続確立状態にあるｉ番目の無線端末装置２０２に関する以下のスコアを、スコア付与部１４から受ける。
【０２４７】
すなわち、評価値算出部１５は、ＣＳＧクラスのスコアである図１４の（Ａ）に示すｘ［ｉ］、緊急度のスコアである図１４の（Ｂ）に示すｙ［ｉ］、およびＱＣＩのスコアである図１４の（Ｃ）に示すｚ［ｉ］をスコア付与部１４から受ける。
【０２４８】
そして、評価値算出部１５は、ｘ［ｉ］、ｙ［ｉ］およびｚ［ｉ］を、たとえば図１４の（Ｄ）に示すユーザエクスペリエンス効用関数であるＵ［ｉ］＝ｙ［ｉ］×｛ｘ［ｉ］＋ｚ［ｉ］｝へ代入することにより、ｉ番目の無線端末装置２０２の評価値であるＵ［ｉ］を算出する。以下、ユーザエクスペリエンス効用関数を効用関数とも称する。
【０２４９】
また、評価値算出部１５は、後述するように、自己の無線基地局装置１０１と接続確立状態にある無線端末装置２０２を強制的に他の無線基地局装置１０１へハンドオーバさせる際に、たとえば当該無線端末装置２０２の通信接続が切断される確率であるＲＬＦ確率を推定することにより、以下の処理を行う。
【０２５０】
すなわち、図１４を参照して、評価値算出部１５は、たとえば自己の無線基地局装置１０１と接続確立状態にあるｉ番目の無線端末装置２０２のＣＳＧクラスのスコアである図１４の（Ａ）に示すｘ［ｉ］、緊急度のスコアである図１４の（Ｂ）に示すｙ［ｉ］およびＱＣＩのスコアである図１４の（Ｃ）に示すｚ［ｉ］をスコア付与部１４から受ける。
【０２５１】
そして、評価値算出部１５は、たとえば図１４の（Ｅ）に示すｉ番目の無線端末装置２０２のＲＬＦ確率がｒ［ｉ］であることを推定する。
【０２５２】
評価値算出部１５は、ｘ［ｉ］、ｙ［ｉ］、ｚ［ｉ］およびｒ［ｉ］を、たとえば図１４の（Ｆ）に示すユーザエクスペリエンス効用関数であるＵ［ｉ］＝ｙ［ｉ］×｛ｘ［ｉ］＋ｚ［ｉ］｝×｛１−ｒ［ｉ］｝へ代入することにより、ｉ番目の無線端末装置２０２の評価値であるＵ［ｉ］を算出する。
【０２５３】
また、図１５を参照して、評価値算出部１５は、たとえばアクセスクラスに応じたスコアであるｙ［ｉ］を出力する旨をスコア付与部１４から受けると、以下の処理を行う。すなわち、評価値算出部１５は、自己の無線基地局装置１０１を通信相手として選択し、かつアイドル状態にあるｉ番目の無線端末装置２０２に関する以下のスコアを、スコア付与部１４から受ける。
【０２５４】
すなわち、評価値算出部１５は、ＣＳＧクラスのスコアである図１５の（Ａ）に示すｘ［ｉ］およびアクセスクラスのスコアである図１５の（Ｂ）に示すｙ［ｉ］をスコア付与部１４から受ける。
【０２５５】
そして、評価値算出部１５は、ｘ［ｉ］およびｙ［ｉ］を、たとえば図１５の（Ｃ）に示すユーザエクスペリエンス効用関数であるＵ［ｉ］＝ｘ［ｉ］×ｙ［ｉ］へ代入することにより、ｉ番目の無線端末装置２０２の評価値であるＵ［ｉ］を算出する。
【０２５６】
そして、評価値算出部１５は、算出した評価値であるＵ［ｉ］を接続端末選択部１６へ出力する。
【０２５７】
接続端末選択部１６は、評価値算出部１５から受けた評価値に基づいて、接続済端末、および接続要求端末の中から、自己の無線基地局装置１０１に接続すべき無線端末装置２０２を選択する。
【０２５８】
より詳細には、接続端末選択部１６は、たとえば接続済端末、および接続要求端末の評価値を評価値算出部１５から受ける。接続済端末の台数、および接続要求端末の台数の和がｎであるとすると、当該評価値は、たとえばＵ［ｊ］（ｊ＝１、２、・・・ｎ）で示される。
【０２５９】
そして、接続端末選択部１６は、たとえばＵ［ｊ］（ｊ＝１、２、・・・ｎ）から、自己の無線基地局装置１０１の接続数の上限と等しい個数分のＵ［ｋ］を選択し、選択したＵ［ｋ］の和を示すＵを算出する。この際、接続端末選択部１６は、当該Ｕが最大となるように、Ｕ［ｊ］（ｊ＝１、２、・・・ｎ）から当該上限と等しい個数分のＵ［ｋ］を選択する。
【０２６０】
そして、接続端末選択部１６は、自己の無線基地局装置１０１に接続すべき無線端末装置２０２として、選択したＵ［ｋ］に対応する無線端末装置２０２を選択する。
【０２６１】
また、接続端末選択部１６は、自己の無線基地局装置１０１において処理が可能な通信データの量の上限を超える場合には、たとえば評価値および無線端末装置２０２が通信するデータの量に基づいて、自己の無線基地局装置１０１に接続すべき無線端末装置２０２を選択する。
【０２６２】
具体的には、接続端末選択部１６は、たとえば評価値算出部１５から受けた接続済端末および接続要求端末の評価値と、スコア付与部１４から受けた通信量とに基づいて、以下の処理を行う。
【０２６３】
すなわち、接続済端末の台数、および接続要求端末の台数の和がｎであるとすると、当該評価値は、たとえばＵ［ｊ］（ｊ＝１、２、・・・ｎ）で示される。また、通信量は、たとえばＬ［ｊ］（ｊ＝１、２、・・・ｎ）で示される。なお、上記Ｕ［ｊ］および上記Ｌ［ｊ］は、それぞれｊ番目の無線端末装置２０２の評価値および通信量を示す。
【０２６４】
そして、接続端末選択部１６は、たとえばＵ［ｊ］（ｊ＝１、２、・・・ｎ）から、自己の無線基地局装置１０１の接続数の上限と等しい個数分のＵ［ｋ］を選択し、選択したＵ［ｋ］の和を示すＵおよび選択したＵ［ｋ］に対応するＬ［ｋ］の和を示すＬを算出する。この際、接続端末選択部１６は、当該Ｕが最大となり、かつ当該Ｌが自己の無線基地局装置１０１において処理が可能な通信データの量の上限を超えないように、Ｕ［ｊ］（ｊ＝１、２、・・・ｎ）から当該上限と等しい個数分のＵ［ｋ］を選択する。
【０２６５】
そして、接続端末選択部１６は、自己の無線基地局装置１０１に接続すべき無線端末装置２０２として、選択したＵ［ｋ］に対応する無線端末装置２０２を選択する。
【０２６６】
図１６は、本発明の実施の形態に係る無線通信システムにおける、接続確立状態の複数の無線端末装置がフェムトセル内へ移動する際の移動経路の一例を示す図である。
図１７は、本発明の実施の形態に係る無線通信システムにおける、無線端末装置のスコアおよび評価値の一例を示す図である。
【０２６７】
図１６を参照して、無線基地局装置１０１Ａは、たとえばマクロ基地局であり、マクロセルＭＣＡを形成する。また、無線基地局装置１０１Ｂは、たとえば自己の接続数の上限が２台であるハイブリッドモードのフェムト基地局であり、フェムトセルＦＣＢを形成する。また、フェムトセルＦＣＢは、マクロセルＭＣＡに含まれる。
【０２６８】
たとえば、図１６に示すように、無線端末装置２０２Ａ，２０２Ｂは、フェムトセルＦＣＢ内に位置しており、無線基地局装置１０１Ｂと接続確立状態にある場合を想定する。
【０２６９】
また、たとえば、図１６に示すように、無線端末装置２０２Ｃ，２０２Ｄは、フェムトセルＦＣＢ外、かつマクロセルＭＣＡ内に位置しており、無線基地局装置１０１Ａと接続確立状態にある場合を想定する。
【０２７０】
無線端末装置２０２Ｃは、たとえば無線基地局装置１０１Ａとの接続確立状態において、フェムトセルＦＣＢ内へ進入する（ステップＳ３２２）。また、無線端末装置２０２Ｄは、たとえば無線基地局装置１０１Ａとの接続確立状態において、無線端末装置２０２ＣがフェムトセルＦＣＢ内へ進入するタイミングとほぼ同じタイミングでフェムトセルＦＣＢ内へ進入する（ステップＳ３２４）。
【０２７１】
この場合、無線端末装置２０２Ａ，２０２Ｂは、無線基地局装置１０１Ｂにおける接続済端末となり、また、無線端末装置２０２Ｃ，２０２Ｄは、無線基地局装置１０１Ｂにおける接続要求端末となる。
【０２７２】
次に、無線基地局装置１０１Ｂは、無線端末装置２０２Ａ，２０２Ｂ，２０２Ｃ，２０２Ｄの中から、自己に接続すべき無線端末装置２０２を選択する。
【０２７３】
図１７を参照して、無線端末装置２０２Ａのユーザであるユーザ１は、たとえばフェムト基地局である無線基地局装置１０１Ｂの所有者であり、無線基地局装置１０１Ｂを経由して他のユーザとメールの送信またはメールの受信を行っている。
【０２７４】
また、無線端末装置２０２Ｂのユーザであるユーザ２は、たとえば無線基地局装置１０１Ｂが配置された家の近隣の住民であり、無線基地局装置１０１Ｂを経由して他のユーザと通話中である。
【０２７５】
また、無線端末装置２０２Ｃのユーザであるユーザ３は、たとえば無線基地局装置１０１Ｂが配置された家の近隣の住民であり、無線基地局装置１０１Ａを経由して他のユーザとビデオチャットをしながら、無線基地局装置１０１Ｂが形成するフェムトセルＦＣＢへ進入した状況にある。
【０２７６】
また、無線端末装置２０２Ｄのユーザであるユーザ４は、たとえば無線基地局装置１０１ＢのＣＳＧメンバーではないが、無線基地局装置１０１Ａを経由して１１９番の緊急通話をしながら、無線基地局装置１０１Ｂが形成するフェムトセルＦＣＢへ進入した状況にある。
【０２７７】
無線基地局装置１０１Ｂは、無線端末装置２０２Ａの評価値であるＵ［１］を以下のように算出する。すなわち、無線基地局装置１０１Ｂは、ユーザ１が無線基地局装置１０１Ｂの所有者であるので、図１３に示すように無線端末装置２０２ＡのＣＳＧクラスをＡと判断し、図１４の（Ａ）および図１７に示すようにＣＳＧクラスのスコアであるｘ［１］を５とする。
【０２７８】
そして、無線基地局装置１０１Ｂは、無線端末装置２０２Ａにおいて緊急通話が行われていないので、図１４の（Ｂ）および図１７に示すように緊急度のスコアであるｙ［１］を１とする。
【０２７９】
また、無線基地局装置１０１Ｂは、無線端末装置２０２Ａにおいて、ユーザ１が他のユーザとメールをしていることからＱＣＩは１〜４以外となるので、図１４の（Ｃ）および図１７に示すようにＱＣＩのスコアであるｚ［１］を１とする。
【０２８０】
無線基地局装置１０１Ｂは、上記スコアに基づいて、図１４の（Ｄ）に示すようにＵ［１］＝１×（５＋１）＝６を計算することにより、図１７に示す評価値を６と算出する。
【０２８１】
また、無線基地局装置１０１Ｂは、無線端末装置２０２Ｂの評価値であるＵ［２］を以下のように算出する。すなわち、無線基地局装置１０１Ｂは、ユーザ２が近隣の住民であるので、図１３に示すように無線端末装置２０２ＢのＣＳＧクラスをＣと判断し、図１４の（Ａ）および図１７に示すようにＣＳＧクラスのスコアであるｘ［２］を２とする。
【０２８２】
そして、無線基地局装置１０１Ｂは、無線端末装置２０２Ｂにおいて緊急通話が行われていないので、図１４の（Ｂ）および図１７に示すように緊急度のスコアであるｙ［２］を１とする。
【０２８３】
また、無線基地局装置１０１Ｂは、無線端末装置２０２Ｂにおいて、ユーザ２が他のユーザと通話中であることからＱＣＩは１となるので、図１４の（Ｃ）および図１７に示すようにＱＣＩのスコアであるｚ［２］を５とする。
【０２８４】
無線基地局装置１０１Ｂは、上記スコアに基づいて、図１４の（Ｄ）に示すようにＵ［２］＝１×（２＋５）＝７を計算することにより、図１７に示す評価値を７と算出する。
【０２８５】
また、無線基地局装置１０１Ｂは、無線端末装置２０２Ｃの評価値であるＵ［３］を以下のように算出する。すなわち、無線基地局装置１０１Ｂは、ユーザ３が近隣の住民であるので、図１３に示すように無線端末装置２０２ＣのＣＳＧクラスをＣと判断し、図１４の（Ａ）および図１７に示すようにＣＳＧクラスのスコアであるｘ［３］を２とする。
【０２８６】
そして、無線基地局装置１０１Ｂは、無線端末装置２０２Ｃにおいて緊急通話が行われていないので、図１４の（Ｂ）および図１７に示すように緊急度のスコアであるｙ［３］を１とする。
【０２８７】
また、無線基地局装置１０１Ｂは、無線端末装置２０２Ｃにおいて、ユーザ３が他のユーザとビデオチャット中であることからＱＣＩは２となるので、図１４の（Ｃ）および図１７に示すようにＱＣＩのスコアであるｚ［３］を４とする。
【０２８８】
無線基地局装置１０１Ｂは、上記スコアに基づいて、図１４の（Ｄ）に示すようにＵ［３］＝１×（２＋４）＝６を計算することにより、図１７に示す評価値を６と算出する。
【０２８９】
また、無線基地局装置１０１Ｂは、無線端末装置２０２Ｄの評価値であるＵ［４］を以下のように算出する。すなわち、無線基地局装置１０１Ｂは、ユーザ４が無線基地局装置１０１ＢのＣＳＧメンバーではないので、図１３に示すように無線端末装置２０２ＤのＣＳＧクラスをＤと判断し、図１４の（Ａ）および図１７に示すようにＣＳＧクラスのスコアであるｘ［４］を１とする。
【０２９０】
そして、無線基地局装置１０１Ｂは、無線端末装置２０２Ｄにおいて緊急通話が行われているので、図１４の（Ｂ）および図１７に示すように緊急度のスコアであるｙ［４］を１０とする。
【０２９１】
また、無線基地局装置１０１Ｂは、無線端末装置２０２Ｄにおいて、ユーザ４がたとえば近隣の消防署における消防士と会話中であることからＱＣＩは１となるので、図１４の（Ｃ）および図１７に示すようにＱＣＩのスコアであるｚ［４］を５とする。
【０２９２】
無線基地局装置１０１Ｂは、上記スコアに基づいて、図１４の（Ｄ）に示すようにＵ［４］＝１０×（１＋５）＝６０を計算することにより、図１７に示す評価値を６０と算出する。
【０２９３】
無線基地局装置１０１Ｂは、自己の接続数の上限が２台であることから、上記Ｕ［ｊ］（ｊ＝１、２、３、４）からＵ［ｊ］を２個選択する。この際、無線基地局装置１０１Ｂは、当該２個のＵ［ｊ］の和を示すＵが最大となるように選択する。
【０２９４】
具体的には、無線基地局装置１０１Ｂは、図１７に示すように、Ｕが最大の６７となるＵ［２］およびＵ［４］を選択する。すなわち、無線基地局装置１０１Ｂは、無線端末装置２０２Ｂおよび無線端末装置２０２Ｄを選択する。
【０２９５】
ハンドオーバ制御部１８は、接続済端末および接続要求端末のうち、接続端末選択部１６によって選択されなかった無線端末装置２０２を、自己の無線基地局装置１０１から他の無線基地局装置１０１へハンドオーバさせる制御を行う。
【０２９６】
また、ハンドオーバ制御部１８は、当該無線端末装置２０２のハンドオーバの要因すなわち接続先変更の要因として、自己の無線基地局装置１０１によって選択されなかった旨を、当該ハンドオーバ先の無線基地局装置１０１へＸ２インタフェース経由で通知する。
【０２９７】
具体的には、ハンドオーバ制御部１８は、たとえば自己の無線基地局装置１０１から当該ハンドオーバ先の無線基地局装置１０１へ送信するハンドオーバ要求に含まれるＩＥの一種であるＣａｕｓｅにおいて、優先順位最適化ハンドオーバ（Priority Optimization Handover）を含める。
【０２９８】
ここで、優先順位最適化ハンドオーバは、無線基地局装置１０１において評価値に基づいて行われる無線端末装置２０２の選択処理において、選択されなかったことに起因する無線端末装置２０２のハンドオーバであることを意味する。
【０２９９】
また、ハンドオーバ制御部１８は、選択されなかった無線端末装置２０２のハンドオーバの要因すなわち接続先変更の要因として、自己の無線基地局装置１０１によって選択されなかった旨を、当該無線端末装置２０２へ送信信号処理部９７経由で通知する。
【０３００】
具体的には、ハンドオーバ制御部１８は、たとえば選択されなかった無線端末装置２０２がハンドオーバ動作により通信接続先を自己の無線基地局装置１０１から他の無線基地局装置１０１へ変更する際において、当該ハンドオーバ動作が失敗すると、以下の処理を行う。
【０３０１】
すなわち、ハンドオーバ制御部１８は、当該無線端末装置２０２により送信されるＲＲＣコネクション再確立要求の応答であるＲＲＣコネクション再確立拒絶において、端末優先度制御により接続不可能である旨を含めて、当該無線端末装置２０２へ送信する。
【０３０２】
メッセージ送信部１７は、接続情報処理部１３から接続評価情報を受けると、自己の無線基地局装置１０１から他の無線基地局装置１０１へ無線端末装置２０２のハンドオーバ動作が行われる場合に、当該他の無線基地局装置１０１へ当該無線端末装置２０２の接続評価情報を送信する。
【０３０３】
具体的には、メッセージ送信部１７は、接続情報処理部１３から接続評価情報を受けると、たとえば当該接続評価情報を含めたハンドオーバ要求を、Ｘ２インタフェースを経由して上記他の無線基地局装置１０１へ送信する。
【０３０４】
［接続数が所定条件を満たす無線基地局装置へのハンドオーバ動作を行う場合］
図１８は、本発明の実施の形態に係る無線通信システムにおいて、評価値の大きい無線端末装置が、接続数の所定条件を満たす無線基地局装置へのハンドオーバ動作を行う際の動作の一例を示すシーケンス図である。
【０３０５】
図１８を参照して、たとえば、無線端末装置２０２Ａは、無線基地局装置１０１Ｂと接続確立状態にあり、また、無線端末装置２０２Ｂは、無線基地局装置１０１Ａと接続確立状態にある状況を想定する。
【０３０６】
まず、無線基地局装置１０１Ｂは、たとえば自己に接続する無線端末装置２０２の接続数が自己の接続数の上限と等しいので、自己の接続数が所定条件を満たすと判断する（ステップＳ４００）。
【０３０７】
また、無線基地局装置１０１Ａは、自己および自己と接続確立状態にある無線端末装置２０２Ｂ間で送受信される情報に基づいて、無線端末装置２０２Ｂについての接続情報を取得する（ステップＳ４０２）。
【０３０８】
また、無線基地局装置１０１Ｂは、自己および自己と接続確立状態にある無線端末装置２０２Ａ間で送受信される情報に基づいて、無線端末装置２０２Ａについての接続情報を取得する（ステップＳ４０４）。
【０３０９】
次に、無線端末装置２０２Ｂは、無線基地局装置１０１から送信される無線信号の受信電力を測定し、測定した受信電力の測定結果を示す測定結果通知を無線基地局装置１０１Ａへ送信する（ステップＳ４０６）。
【０３１０】
次に、無線基地局装置１０１Ａは、無線端末装置２０２Ｂから受信した測定結果通知に基づいて、無線端末装置２０２Ｂのハンドオーバを行なうべきか否かを判断する。無線基地局装置１０１Ａは、無線端末装置２０２Ｂのハンドオーバを行なうべきであると判断すると、周辺セル情報を参照してたとえば無線基地局装置１０１Ｂをハンドオーバ先として決定する（ステップＳ４０８）。
【０３１１】
次に、無線基地局装置１０１Ａは、無線端末装置２０２Ｂについての接続情報に基づいて、接続評価情報を作成し、無線基地局装置１０１Ｂを示すハンドオーバ要求に当該接続評価情報を含めて、基地局間インタフェースであるＸ２インタフェース経由で当該ハンドオーバ要求を無線基地局装置１０１Ｂへ送信する（ステップＳ４１０）。
【０３１２】
次に、無線基地局装置１０１Ｂは、無線基地局装置１０１Ａからハンドオーバ要求を受信すると、自己の接続数が所定条件を満たしているので、当該ハンドオーバ要求に含まれる接続評価情報、および接続情報に基づいて効用関数を計算する（ステップＳ４１２）。効用関数の計算動作の詳細については、後述する。
【０３１３】
次に、無線基地局装置１０１Ｂは、計算した効用関数に基づいて、自己と接続すべき無線端末装置２０２を選択する（ステップＳ４１４）。接続すべき無線端末装置２０２の選択動作についての詳細については、後述する。
【０３１４】
この際、無線基地局装置１０１Ｂは、たとえば自己と接続すべき無線端末装置２０２として、無線端末装置２０２Ｂを選択し、また、無線端末装置２０２Ａを選択しないと決定する。
【０３１５】
そして、無線基地局装置１０１Ｂは、周辺セル情報を参照してたとえば無線基地局装置１０１Ｃを無線端末装置２０２Ａのハンドオーバ先として決定する。
【０３１６】
次に、無線基地局装置１０１Ｂは、無線基地局装置１０１Ｃを示すハンドオーバ要求を、基地局間インタフェースであるＸ２インタフェース経由で無線基地局装置１０１Ｃへ送信する（ステップＳ４１６）。
【０３１７】
次に、無線基地局装置１０１Ｃは、無線基地局装置１０１Ｂからハンドオーバ要求を受信して、無線基地局装置１０１Ｂへ当該ハンドオーバ要求に対するハンドオーバ応答をＸ２インタフェース経由で送信する（ステップＳ４１８）。
【０３１８】
次に、無線基地局装置１０１Ｂは、無線基地局装置１０１Ｃからハンドオーバ応答を受信して、無線端末装置２０２ＡへＲＲＣコネクション再構成指示（RRC Connection Reconfiguration）を送信する（ステップＳ４２０）。
【０３１９】
次に、無線端末装置２０２Ａおよび無線基地局装置１０１Ｃ間でＲＲＣコネクションが確立されると、無線端末装置２０２Ａは、ＲＲＣコネクション再構成完了通知（RRC Connection Reconfiguration Complete）を無線基地局装置１０１Ｃへ送信する（ステップＳ４２２）。
【０３２０】
次に、無線基地局装置１０１Ｃは、無線端末装置２０２ＡからＲＲＣコネクション再構成完了通知を受信して、端末情報解放指示を無線基地局装置１０１Ｂへ送信する（ステップＳ４２４）。
【０３２１】
次に、無線基地局装置１０１Ｂは、無線基地局装置１０１Ｃから端末情報解放指示を受信して、無線端末装置２０２Ａに関する情報（UE Context）を解放する（ステップＳ４２６）。
【０３２２】
以上により、無線端末装置２０２Ａの無線基地局装置１０１Ｂから無線基地局装置１０１Ｃへのハンドオーバが完了する（ステップＳ４２８）。
【０３２３】
次に、無線基地局装置１０１Ｂは、ステップＳ４１０において無線基地局装置１０１Ａから受信したハンドオーバ要求に対するハンドオーバ応答を、Ｘ２インタフェース経由で無線基地局装置１０１Ａへ送信する（ステップＳ４３０）。
【０３２４】
次に、無線基地局装置１０１Ａは、無線基地局装置１０１Ｂからハンドオーバ応答を受信して、無線端末装置２０２ＢへＲＲＣコネクション再構成指示（RRC Connection Reconfiguration）を送信する（ステップＳ４３２）。
【０３２５】
次に、無線端末装置２０２Ｂおよび無線基地局装置１０１Ｂ間でＲＲＣコネクションが確立されると、無線端末装置２０２Ｂは、ＲＲＣコネクション再構成完了通知（RRC Connection Reconfiguration Complete）を無線基地局装置１０１Ｂへ送信する（ステップＳ４３４）。
【０３２６】
次に、無線基地局装置１０１Ｂは、無線端末装置２０２ＢからＲＲＣコネクション再構成完了通知を受信して、端末情報解放指示を無線基地局装置１０１Ａへ送信する（ステップＳ４３６）。
【０３２７】
次に、無線基地局装置１０１Ａは、無線基地局装置１０１Ｂから端末情報解放指示を受信して、無線端末装置２０２Ｂに関する情報（UE Context）を解放する（ステップＳ４３８）。
【０３２８】
以上により、無線端末装置２０２Ｂの無線基地局装置１０１Ａから無線基地局装置１０１Ｂへのハンドオーバが完了する（ステップＳ４４０）。
【０３２９】
なお、無線基地局装置１０１Ｂは、上記ステップＳ４００において、たとえば自己に接続する無線端末装置２０２の接続数が自己の接続数の上限と等しい場合において、自己の接続数が所定条件を満たすと判断したが、自己の接続数が当該上限と等しくない場合において、所定条件を満たすと判断してもよい。
【０３３０】
たとえば、無線基地局装置１０１Ｂは、自己に接続する無線端末装置２０２の接続数が、自己の接続数の上限より所定個数少ない場合において、自己の接続数が所定条件を満たすと判断する。
【０３３１】
これにより、無線基地局装置１０１Ｂは、所定条件を満たす場合においても自己における接続数に余裕があるので、たとえば緊急度に応じて、ハンドオーバ動作の順番を入れ替えることができる。
【０３３２】
具体的には、無線基地局装置１０１Ｂは、たとえば無線端末装置２０２Ｂが緊急度の高い通信を行っている場合において、ハンドオーバ要求により示される無線端末装置２０２Ｂを先に自己に接続した後、自己に接続していた無線端末装置２０２Ａを無線基地局装置１０１Ｃへハンドオーバさせる。
【０３３３】
これにより、無線端末装置２０２Ｂは、より早いタイミングにおいて、緊急度の高い通信を、通信条件の良い無線基地局装置１０１Ｂを経由して行うことができる。
【０３３４】
図１９は、本発明の実施の形態に係る無線通信システムにおいて、評価値の小さい無線端末装置が、接続数の所定条件を満たす無線基地局装置に対してハンドオーバ動作を行う際の動作の一例を示すシーケンス図である。
【０３３５】
図１９を参照して、たとえば、無線端末装置２０２Ａは、無線基地局装置１０１Ｂと接続確立状態にあり、また、無線端末装置２０２Ｂは、無線基地局装置１０１Ａと接続確立状態にある状況を想定する。
【０３３６】
まず、無線基地局装置１０１Ｂは、たとえば自己に接続する無線端末装置２０２の接続数が自己の接続数の上限と等しいので、自己の接続数が所定条件を満たすと判断する（ステップＳ４７０）。
【０３３７】
また、無線基地局装置１０１Ａは、自己および自己と接続確立状態にある無線端末装置２０２Ｂ間で送受信される情報に基づいて、無線端末装置２０２Ｂについての接続情報を取得する（ステップＳ４７２）。
【０３３８】
また、無線基地局装置１０１Ｂは、自己および自己と接続確立状態にある無線端末装置２０２Ａ間で送受信される情報に基づいて、無線端末装置２０２Ａについての接続情報を取得する（ステップＳ４７４）。
【０３３９】
次に、無線端末装置２０２Ｂは、無線基地局装置１０１から送信される無線信号の受信電力を測定し、測定した受信電力の測定結果を示す測定結果通知を無線基地局装置１０１Ａへ送信する（ステップＳ４７６）。
【０３４０】
次に、無線基地局装置１０１Ａは、無線端末装置２０２Ｂから受信した測定結果通知に基づいて、無線端末装置２０２Ｂのハンドオーバを行なうべきか否かを判断する。無線基地局装置１０１Ａは、無線端末装置２０２Ｂのハンドオーバを行なうべきであると判断すると、周辺セル情報を参照してたとえば無線基地局装置１０１Ｂをハンドオーバ先として決定する（ステップＳ４７８）。
【０３４１】
次に、無線基地局装置１０１Ａは、無線端末装置２０２Ｂについての接続情報に基づいて、接続評価情報を作成し、無線基地局装置１０１Ｂを示すハンドオーバ要求に当該接続評価情報を含めて、基地局間インタフェースであるＸ２インタフェース経由で当該ハンドオーバ要求を無線基地局装置１０１Ｂへ送信する（ステップＳ４８０）。
【０３４２】
次に、無線基地局装置１０１Ｂは、無線基地局装置１０１Ａからハンドオーバ要求を受信すると、自己の接続数が所定条件を満たしているので、当該ハンドオーバ要求に含まれる接続評価情報、および接続情報に基づいて効用関数を計算する（ステップＳ４８２）。効用関数の計算動作の詳細については、後述する。
【０３４３】
次に、無線基地局装置１０１Ｂは、計算した効用関数に基づいて、自己と接続すべき無線端末装置２０２を選択する（ステップＳ４８４）。接続すべき無線端末装置２０２の選択動作についての詳細については、後述する。
【０３４４】
この際、無線基地局装置１０１Ｂは、たとえば自己と接続すべき無線端末装置２０２として、無線端末装置２０２Ａを選択し、また、無線端末装置２０２Ｂを選択しないと決定する。
【０３４５】
次に、無線基地局装置１０１Ｂは、無線端末装置２０２Ｂの自己へのハンドオーバの拒否を示すハンドオーバ拒否（HO Preparation Failure）を基地局間インタフェースであるＸ２インタフェース経由で無線基地局装置１０１Ａへ送信する（ステップＳ４８６）。
【０３４６】
次に、無線基地局装置１０１Ａは、無線基地局装置１０１Ｂからハンドオーバ拒否を受信すると、無線端末装置２０２Ｂの自己から無線基地局装置１０１Ｂへのハンドオーバを中止する。
【０３４７】
［接続評価情報の送信処理］
図２０は、本発明の実施の形態に係る無線通信システムにおいて、無線基地局装置が無線端末装置の接続評価情報を他の無線基地局装置へ送信する際の動作手順を定めたフローチャートである。
【０３４８】
以下は、図１８および図１９に示す、接続評価情報を送信する無線基地局装置１０１Ａの詳細な動作である。図２０を参照して、たとえば、無線基地局装置１０１Ａは、無線端末装置２０２Ｂを含む複数の無線端末装置２０２と接続確立状態にある状況を想定する。
【０３４９】
次に、無線基地局装置１０１Ａは、自己および自己と接続確立状態にある無線端末装置２０２間で送受信される情報に基づいて、当該無線端末装置２０２についての接続情報を取得する（ステップＳ５２２）。
【０３５０】
次に、無線基地局装置１０１Ａは、取得した接続情報に基づいて、当該無線端末装置２０２の接続評価情報を作成する（ステップＳ５２４）。
【０３５１】
次に、無線基地局装置１０１Ａは、無線端末装置２０２が測定した受信電力の測定結果を示す測定結果通知を当該無線端末装置２０２から受信する（ステップＳ５２６）。
【０３５２】
次に、無線基地局装置１０１Ａは、無線端末装置２０２Ｂから受信した測定結果通知に基づいて、無線端末装置２０２Ｂのハンドオーバを行なうべきか否かを判断する（ステップＳ５２８）。
【０３５３】
次に、無線基地局装置１０１Ａは、無線端末装置２０２Ｂのハンドオーバを行なうべきであると判断すると（ステップＳ５２８でＹＥＳ）、周辺セル情報を参照してたとえば無線基地局装置１０１Ｂをハンドオーバ先として決定し、以下の処理を行う。
【０３５４】
すなわち、無線基地局装置１０１Ａは、作成した接続評価情報を含めた無線基地局装置１０１Ｂを示すハンドオーバ要求を、基地局間インタフェースであるＸ２インタフェース経由で当該ハンドオーバ要求を無線基地局装置１０１Ｂへ送信する（ステップＳ５３０）。
【０３５５】
一方、無線基地局装置１０１Ａは、無線端末装置２０２Ｂのハンドオーバを行なうべきでないと判断すると（ステップＳ５２８でＮＯ）、測定結果通知を無線端末装置２０２から引き続き受信する（ステップＳ５２６）。
【０３５６】
次に、無線基地局装置１０１Ａは、無線基地局装置１０１Ｂからハンドオーバ応答を受信すると（ステップＳ５３２でＹＥＳ）、無線端末装置２０２Ｂを自己から無線基地局装置１０１Ｂへハンドオーバさせる（ステップＳ５３４）。
【０３５７】
一方、無線基地局装置１０１Ａは、無線基地局装置１０１Ｂからハンドオーバ拒否を受信すると（ステップＳ５３２でＮＯ）、測定結果通知を無線端末装置２０２から引き続き受信する（ステップＳ５２６）。
【０３５８】
以上の動作により、無線基地局装置１０１は、無線端末装置２０２の接続評価情報を他の無線基地局装置１０１へ送信する。
【０３５９】
［接続数が所定条件を満たす無線基地局装置における無線端末装置の選択処理］
図２１は、本発明の実施の形態に係る無線通信システムにおいて、無線基地局装置が無線端末装置の評価値に基づいて、自己に接続すべき無線端末装置の選択を行う際の動作手順を定めたフローチャートである。
【０３６０】
以下は、図１８および図１９に示す、接続すべき無線端末装置２０２を選択する無線基地局装置１０１Ｂの詳細な動作である。図２１を参照して、たとえば、無線基地局装置１０１Ｂは、無線端末装置２０２Ａを含む複数の無線端末装置２０２と接続確立状態にある状況を想定する。
【０３６１】
次に、無線基地局装置１０１Ｂは、自己および自己と接続確立状態にある無線端末装置２０２間で送受信される情報に基づいて、当該無線端末装置２０２についての接続情報を取得する（ステップＳ５６２）。
【０３６２】
次に、無線基地局装置１０１Ｂは、自己の接続数が所定条件を満たすまで接続数を監視し（ステップＳ５６４でＮＯ）、自己の接続数が所定条件を満たすと（ステップＳ５６４でＹＥＳ）、以下の処理を行う。
【０３６３】
すなわち、無線基地局装置１０１Ｂは、たとえば他の無線基地局装置１０１からのハンドオーバ要求を受信するまで、新たな無線端末装置２０２の自己へのハンドオーバ動作の発生を監視する（ステップＳ５６６でＮＯ）。
【０３６４】
次に、無線基地局装置１０１Ｂは、たとえば無線基地局装置１０１Ａから接続評価情報を含むハンドオーバ要求を受信すると（ステップＳ５６６でＹＥＳ）、接続情報および接続評価情報に基づいて、接続済端末および接続要求端末に関する評価値を取得する（ステップＳ５６８）。当該評価値を取得する動作に関する詳細については後述する。
【０３６５】
次に、無線基地局装置１０１Ｂは、当該評価値に基づいて、自己に接続すべき無線端末装置２０２を選択する（ステップＳ５７０）。自己に接続すべき無線端末装置２０２を選択する動作の詳細については後述する。
【０３６６】
以上の動作により、無線基地局装置１０１は、自己に接続する無線端末装置２０２の接続数が所定条件を満たす場合に、接続済端末および接続要求端末の評価値に基づいて、自己に接続すべき無線端末装置２０２を選択する。
【０３６７】
［評価値の取得処理および無線端末装置の選択処理］
図２２は、本発明の実施の形態に係る無線通信システムにおいて、無線基地局装置が無線端末装置の評価値に基づいて、自己に接続すべき無線端末装置の選択を行う際の動作手順を定めたフローチャートである。
【０３６８】
以下は、図２１に示すステップＳ５６８およびＳ５７０における、無線基地局装置１０１Ｂの詳細な動作である。
【０３６９】
図２２を参照して、まず、無線基地局装置１０１Ｂは、たとえば接続済端末および接続要求端末を識別するための変数であるｉを１に初期化する（ステップＳ６０２）。
【０３７０】
次に、無線基地局装置１０１Ｂは、たとえば接続情報および接続評価情報に基づいて、ｉ番目の無線端末装置２０２のＩＤを取得する。次に、無線基地局装置１０１Ｂは、取得したＩＤに基づいて、当該無線端末装置２０２のＣＳＧクラスを特定し、特定したＣＳＧクラスに対応するスコアをｘ［ｉ］とする（ステップＳ６０４）。
【０３７１】
次に、無線基地局装置１０１Ｂは、たとえば接続情報および接続評価情報に基づいて、ｉ番目の無線端末装置２０２の緊急度を取得し、取得した緊急度に対応するスコアをｙ［ｉ］とする（ステップＳ６０６）。
【０３７２】
次に、無線基地局装置１０１Ｂは、たとえば接続情報および接続評価情報に基づいて、ｉ番目の無線端末装置２０２が送受信するデータのＱＣＩを取得し、取得したＱＣＩに対応するスコアをｚ［ｉ］とする（ステップＳ６０８）。
【０３７３】
次に、無線基地局装置１０１Ｂは、ｘ［ｉ］、ｙ［ｉ］およびｚ［ｉ］を、Ｕ［ｉ］＝ｙ［ｉ］×｛ｘ［ｉ］＋ｚ［ｉ］｝へ代入することにより、ｉ番目の無線端末装置２０２の評価値であるＵ［ｉ］を計算する（ステップＳ６１０）。
【０３７４】
次に、無線基地局装置１０１Ｂは、ｉが接続済端末の台数および接続要求端末の台数の和を示すｎ未満でない場合（ステップＳ６１２でＮＯ）、以下の処理を行う。
【０３７５】
すなわち、無線基地局装置１０１Ｂは、たとえばＵ［ｉ］（ｉ＝１、２、・・・ｎ）において、大きい方から順に自己の接続数の上限と等しい個数分のＵ［ｉ］を選択する。次に、無線基地局装置１０１Ｂは、選択したＵ［ｉ］に対応する無線端末装置２０２を自己に接続すべき無線端末装置２０２として選択する（ステップＳ６１６）。
【０３７６】
一方、無線基地局装置１０１Ｂは、ｉが接続済端末の台数および接続要求端末の台数の和を示すｎ未満である場合（ステップＳ６１２でＹＥＳ）、ｉをインクリメントする（ステップＳ６１４）。
【０３７７】
次に、無線基地局装置１０１Ｂは、たとえば接続情報および接続評価情報に基づいて、インクリメントしたｉに対応する無線端末装置２０２のＩＤを取得する。次に、無線基地局装置１０１Ｂは、取得したＩＤに基づいて、当該無線端末装置２０２のＣＳＧクラスを特定し、特定したＣＳＧクラスのスコアをｘ［ｉ］とする（ステップＳ６０４）。
【０３７８】
以上の動作により、無線基地局装置１０１は、無線端末装置２０２の評価値に基づいて、自己に接続すべき無線端末装置２０２の選択を行う。
【０３７９】
なお、上記ステップＳ６０４、Ｓ６０６およびＳ６０８における動作は、順番を入替えてもよい。
【０３８０】
図２３は、本発明の実施の形態に係る無線通信システムにおいて、無線基地局装置が無線端末装置の評価値およびＲＬＦ確率に基づいて、自己に接続すべき無線端末装置の選択を行う際の動作手順を定めたフローチャートである。
【０３８１】
以下は、図２１に示すステップＳ５６８およびＳ５７０における、無線基地局装置１０１Ｂの詳細な動作である。
【０３８２】
図２３を参照して、ステップＳ６４２からステップＳ６４８までの動作は、図２２に示すステップＳ６０２からステップＳ６０８までの動作と同様であるため、ここでは詳細な説明を繰り返さない。
【０３８３】
次に、無線基地局装置１０１Ｂは、ｉ番目の無線端末装置２０２をハンドオーバさせる場合に、当該無線端末装置２０２において無線リンク断（ＲＬＦ）が発生する確率を示すｒ［ｉ］を推定する（ステップＳ６５０）。
【０３８４】
次に、無線基地局装置１０１Ｂは、ｘ［ｉ］、ｙ［ｉ］、ｚ［ｉ］およびｒ［ｉ］を、Ｕ［ｉ］＝ｙ［ｉ］×｛ｘ［ｉ］＋ｚ［ｉ］｝×｛１−ｒ［ｉ］｝へ代入することにより、ｉ番目の無線端末装置２０２の評価値であるＵ［ｉ］を計算する（ステップＳ６５２）。
【０３８５】
次に、無線基地局装置１０１Ｂは、ｉが接続済端末の台数および接続要求端末の台数の和を示すｎ未満でない場合（ステップＳ６５４でＮＯ）、以下の処理を行う。
【０３８６】
すなわち、無線基地局装置１０１Ｂは、たとえばＵ［ｉ］（ｉ＝１、２、・・・ｎ）において、大きい方から順に自己の接続数の上限と等しい個数分のＵ［ｉ］を選択する。次に、無線基地局装置１０１Ｂは、選択したＵ［ｉ］に対応する無線端末装置２０２を自己に接続すべき無線端末装置２０２として選択する（ステップＳ６５８）。
【０３８７】
一方、無線基地局装置１０１Ｂは、ｉが接続済端末の台数および接続要求端末の台数の和を示すｎ未満である場合（ステップＳ６５４でＹＥＳ）、ｉをインクリメントする（ステップＳ６５６）。
【０３８８】
次に、無線基地局装置１０１Ｂは、たとえば接続情報および接続評価情報に基づいて、インクリメントしたｉに対応する無線端末装置２０２のＩＤを取得する。次に、無線基地局装置１０１Ｂは、取得したＩＤに基づいて、当該無線端末装置２０２のＣＳＧクラスを特定し、特定したＣＳＧクラスのスコアをｘ［ｉ］とする（ステップＳ６４４）。
【０３８９】
以上の動作により、無線基地局装置１０１は、無線端末装置２０２の評価値およびＲＬＦ確率に基づいて、自己に接続すべき無線端末装置２０２の選択を行う。
【０３９０】
なお、上記ステップＳ６４４、Ｓ６４６、Ｓ６４８およびＳ６５０における動作は、順番を入替えてもよい。
【０３９１】
図２４は、本発明の実施の形態に係る無線通信システムにおいて、無線基地局装置が行う無線端末装置の評価値および通信量に基づいて、自己に接続すべき無線端末装置の選択を行う際の動作手順を定めたフローチャートである。
【０３９２】
以下は、図２１に示すステップＳ５６８およびＳ５７０における、無線基地局装置１０１Ｂの詳細な動作である。
【０３９３】
図２４を参照して、ステップＳ７０２からステップＳ７０８までの動作は、図２２に示すステップＳ６０２からステップＳ６０８までの動作と同様であるため、ここでは詳細な説明を繰り返さない。
【０３９４】
次に、無線基地局装置１０１Ｂは、ｉ番目の無線端末装置２０２の通信量であるＬ［ｉ］を取得する（ステップＳ７１０）。
【０３９５】
次に、無線基地局装置１０１Ｂは、ｘ［ｉ］、ｙ［ｉ］およびｚ［ｉ］を、Ｕ［ｉ］＝ｙ［ｉ］×｛ｘ［ｉ］＋ｚ［ｉ］｝へ代入することにより、ｉ番目の無線端末装置２０２の評価値であるＵ［ｉ］を計算する（ステップＳ７１２）。
【０３９６】
次に、無線基地局装置１０１Ｂは、ｉが接続済端末の台数および接続要求端末の台数の和を示すｎ未満でない場合（ステップＳ７１４でＮＯ）、以下の処理を行う。
【０３９７】
すなわち、無線基地局装置１０１Ｂは、たとえばＵ［ｉ］（ｉ＝１、２、・・・ｎ）において、自己の無線基地局装置１０１の接続数の上限と等しい個数分のＵ［ｋ］を選択し、選択したＵ［ｋ］の和を示すＵおよび選択したＵ［ｋ］に対応するＬ［ｋ］の和を示すＬを算出する。この際、無線基地局装置１０１Ｂは、当該Ｕが最大となり、かつ当該Ｌが自己において処理が可能な通信データの量の上限を超えないように、Ｕ［ｉ］（ｉ＝１、２、・・・ｎ）から当該上限と等しい個数分のＵ［ｋ］を選択する。次に、無線基地局装置１０１Ｂは、選択したＵ［ｋ］に対応する無線端末装置２０２を自己に接続すべき無線端末装置２０２として選択する（ステップＳ７１８）。
【０３９８】
一方、無線基地局装置１０１Ｂは、ｉが接続済端末の台数および接続要求端末の台数の和を示すｎ未満である場合（ステップＳ７１４でＹＥＳ）、ｉをインクリメントする（ステップＳ７１６）。
【０３９９】
次に、無線基地局装置１０１Ｂは、たとえば接続情報および接続評価情報に基づいて、インクリメントしたｉに対応する無線端末装置２０２のＩＤを取得する。次に、無線基地局装置１０１Ｂは、取得したＩＤに基づいて、当該無線端末装置２０２のＣＳＧクラスを特定し、特定したＣＳＧクラスのスコアをｘ［ｉ］とする（ステップＳ７０４）。
【０４００】
以上の動作により、無線基地局装置１０１は、無線端末装置２０２の評価値および通信量に基づいて、自己に接続すべき無線端末装置２０２の選択を行う。
【０４０１】
なお、上記ステップＳ７０４、Ｓ７０６およびＳ７０８における動作は、順番を入替えてもよい。
【０４０２】
また、上記ステップＳ７１０は、Ｓ７１２と順番を入替えてもよい。
【０４０３】
［接続数が所定条件を満たす無線基地局装置へのセル再選択動作を行う場合］
図２５は、発明の実施の形態に係る無線通信システムにおいて、評価値の大きい無線端末装置が、接続数の所定条件を満たす無線基地局装置へのセル再選択動作を行う際の動作の一例を示すシーケンス図である。
【０４０４】
図２５を参照して、たとえば、無線端末装置２０２Ａおよび無線端末装置２０２Ｂは、以下の状況にあることを想定する。すなわち、無線端末装置２０２Ａは、無線基地局装置１０１Ａと接続確立状態にある。
【０４０５】
無線端末装置２０２Ｂは、アイドル状態であり、また、無線基地局装置１０１Ａを通信相手として選択することを決定し、無線基地局装置１０１ＡおよびＭＭＥに対してアタッチ処理を開始する。また、無線端末装置２０２Ｂは、たとえば船舶等に設置された緊急時用の無線端末装置２０２である。
【０４０６】
まず、無線基地局装置１０１Ａは、たとえば自己に接続する無線端末装置２０２の接続数が自己の接続数の上限と等しいので、自己の接続数が所定条件を満たすと判断する（ステップＳ７５０）。
【０４０７】
また、無線基地局装置１０１Ａは、自己および自己と接続確立状態にある無線端末装置２０２Ａ間で送受信される情報に基づいて、無線端末装置２０２Ａについての接続情報を取得する（ステップＳ７５２）。
【０４０８】
次に、無線端末装置２０２Ｂは、たとえばアクセスクラスの情報を有するＮＡＳメッセージを含むアタッチ要求を、ＲＲＣコネクション完了通知に含めて無線基地局装置１０１Ａ経由でコアネットワーク３０１におけるＭＭＥ１６２へ送信する（ステップＳ７５４）。
【０４０９】
次に、無線基地局装置１０１Ａは、無線端末装置２０２ＢからＲＲＣコネクション完了通知に含まれるアタッチ要求を受信すると、当該アタッチ要求に含まれるアクセスクラスの情報を取得する。この際、無線基地局装置１０１Ａは、無線端末装置２０２ＢのＩＤも取得する。
【０４１０】
次に、無線基地局装置１０１Ａは、自己の接続数が所定条件を満たしているので、当該アクセスクラスの情報、当該ＩＤ、および接続情報に基づいて効用関数を計算する（ステップＳ７５６）。効用関数の計算動作の詳細については、後述する。
【０４１１】
次に、無線基地局装置１０１Ａは、計算した効用関数に基づいて、自己と接続すべき無線端末装置２０２を選択する（ステップＳ７５８）。接続すべき無線端末装置２０２の選択動作についての詳細については、後述する。
【０４１２】
この際、無線基地局装置１０１Ａは、たとえば自己と接続すべき無線端末装置２０２として、無線端末装置２０２Ｂを選択し、また、無線端末装置２０２Ａを選択しないと決定する。
【０４１３】
そして、無線基地局装置１０１Ａは、周辺セル情報を参照してたとえば無線基地局装置１０１Ｂを無線端末装置２０２Ａのハンドオーバ先として決定する。
【０４１４】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ７６０）。
【０４１５】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ７６２）。
【０４１６】
次に、無線基地局装置１０１Ａは、無線基地局装置１０１Ｂからハンドオーバ応答を受信して、無線端末装置２０２ＡへＲＲＣコネクション再構成指示（RRC Connection Reconfiguration）を送信する（ステップＳ７６４）。
【０４１７】
次に、無線端末装置２０２Ａおよび無線基地局装置１０１Ｂ間でＲＲＣコネクションが確立されると、無線端末装置２０２Ａは、ＲＲＣコネクション再構成完了通知（RRC Connection Reconfiguration Complete）を無線基地局装置１０１Ｂへ送信する（ステップＳ７６６）。
【０４１８】
次に、無線基地局装置１０１Ｂは、無線端末装置２０２ＡからＲＲＣコネクション再構成完了通知を受信して、端末情報解放指示を無線基地局装置１０１Ａへ送信する（ステップＳ７６８）。
【０４１９】
次に、無線基地局装置１０１Ａは、無線基地局装置１０１Ｂから端末情報解放指示を受信して、無線端末装置２０２Ａに関する情報（UE Context）を解放する（ステップＳ７７０）。
【０４２０】
以上により、無線端末装置２０２Ａの無線基地局装置１０１Ａから無線基地局装置１０１Ｂへのハンドオーバが完了する（ステップＳ７７２）。
【０４２１】
次に、無線基地局装置１０１Ａは、アタッチ要求をＭＭＥへ送信することにより、通常のアタッチシーケンスを実行する。次に、無線端末装置２０２Ｂは、無線基地局装置１０１Ａを通信相手として選択し、無線端末装置２０２Ｂのセル再選択動作が完了する（ステップＳ７７４）。
【０４２２】
［接続数が所定条件を満たす無線基地局装置における無線端末装置の選択処理］
図２６は、本発明の実施の形態に係る無線通信システムにおいて、無線基地局装置が無線端末装置の評価値に基づいて、自己に接続すべき無線端末装置の選択を行う際の動作手順を定めたフローチャートである。
【０４２３】
以下は、図２５に示す、接続すべき無線端末装置２０２を選択する無線基地局装置１０１Ａの詳細な動作である。図２６を参照して、たとえば、無線基地局装置１０１Ａは、無線端末装置２０２Ａを含む複数の無線端末装置２０２と接続確立状態にある状況を想定する。
【０４２４】
次に、無線基地局装置１０１Ａは、自己および自己と接続確立状態にある無線端末装置２０２間で送受信される情報に基づいて、当該無線端末装置２０２についての接続情報を取得する（ステップＳ７９２）。
【０４２５】
次に、無線基地局装置１０１Ａは、自己の接続数が所定条件を満たすまで接続数を監視し（ステップＳ７９４でＮＯ）、自己の接続数が所定条件を満たすと（ステップＳ７９４でＹＥＳ）、以下の処理を行う。
【０４２６】
すなわち、無線基地局装置１０１Ａは、たとえば新たな無線端末装置２０２からアタッチ要求を含むＲＲＣコネクション完了通知を受信するまで、当該新たな無線端末装置２０２による自己が形成するセルに在圏するための処理の発生を監視する（ステップＳ７９６でＮＯ）。
【０４２７】
次に、無線基地局装置１０１Ａは、たとえば無線端末装置２０２Ｂからアタッチ要求を含むＲＲＣコネクション完了通知を受信すると（ステップＳ７９６でＹＥＳ）、接続情報に基づいて、接続済端末および接続要求端末に関する評価値を取得する（ステップＳ７９８）。当該評価値を取得する動作に関する詳細については後述する。
【０４２８】
次に、無線基地局装置１０１Ａは、当該評価値に基づいて、自己に接続すべき無線端末装置２０２を選択する（ステップＳ８００）。自己に接続すべき無線端末装置２０２を選択する動作の詳細については後述する。
【０４２９】
以上の動作により、無線基地局装置１０１は、自己に接続する無線端末装置２０２の接続数が所定条件を満たす場合に、接続済端末および接続要求端末の評価値に基づいて、自己に接続すべき無線端末装置２０２を選択する。
【０４３０】
［評価値の取得処理および無線端末装置の選択処理］
図２７は、本発明の実施の形態に係る無線通信システムにおいて、無線基地局装置が無線端末装置の評価値に基づいて、自己に接続すべき無線端末装置の選択を行う際の動作手順を定めたフローチャートである。
【０４３１】
以下は、図２６に示すステップＳ７９８およびＳ８００における、無線基地局装置１０１Ａの詳細な動作である。
【０４３２】
図２７を参照して、まず、無線基地局装置１０１Ａは、たとえば接続済端末および接続要求端末を識別するための変数であるｉを１に初期化する（ステップＳ８１２）。
【０４３３】
次に、無線基地局装置１０１Ａは、たとえば接続情報に基づいて、ｉ番目の無線端末装置２０２のＩＤを取得する。次に、無線基地局装置１０１Ａは、取得したＩＤに基づいて、当該無線端末装置２０２のＣＳＧクラスを特定し、特定したＣＳＧクラスに対応するスコアをｘ［ｉ］とする（ステップＳ８１４）。
【０４３４】
次に、無線基地局装置１０１Ａは、たとえばｉ番目の無線端末装置２０２がアイドル状態でない場合（ステップＳ８１６でＮＯ）、以下の処理を行う。
【０４３５】
すなわち、無線基地局装置１０１Ａは、たとえば接続情報に基づいて、ｉ番目の無線端末装置２０２の緊急度を取得し、取得した緊急度に対応するスコアをｙ［ｉ］とする（ステップＳ８１８）。
【０４３６】
次に、無線基地局装置１０１Ａは、たとえば接続情報に基づいて、ｉ番目の無線端末装置２０２が送受信するデータのＱＣＩを取得し、取得したＱＣＩに対応するスコアをｚ［ｉ］とする（ステップＳ８２０）。
【０４３７】
次に、無線基地局装置１０１Ａは、ｘ［ｉ］、ｙ［ｉ］およびｚ［ｉ］を、Ｕ［ｉ］＝ｙ［ｉ］×｛ｘ［ｉ］＋ｚ［ｉ］｝へ代入することにより、ｉ番目の無線端末装置２０２の評価値であるＵ［ｉ］を計算する（ステップＳ８２２）。
【０４３８】
一方、無線基地局装置１０１Ａは、たとえばｉ番目の無線端末装置２０２がアイドル状態である場合（ステップＳ８１６でＹＥＳ）、以下の処理を行う。
【０４３９】
すなわち、無線基地局装置１０１Ａは、たとえば接続情報に基づいて、ｉ番目の無線端末装置２０２のアクセスクラスを取得する。次に、無線基地局装置１０１Ａは、取得したアクセスクラスに基づいて、当該無線端末装置２０２の種別を特定し、特定した種別に対応するスコアをｙ［ｉ］とする（ステップＳ８２４）。
【０４４０】
次に、無線基地局装置１０１Ａは、ｘ［ｉ］およびｙ［ｉ］を、Ｕ［ｉ］＝ｙ［ｉ］×ｘ［ｉ］へ代入することにより、ｉ番目の無線端末装置２０２の評価値であるＵ［ｉ］を計算する（ステップＳ８２６）。
【０４４１】
次に、無線基地局装置１０１Ａは、ｉが接続済端末の台数および接続要求端末の台数の和を示すｎ未満でない場合（ステップＳ８２８でＮＯ）、以下の処理を行う。
【０４４２】
すなわち、無線基地局装置１０１Ａは、たとえばＵ［ｉ］（ｉ＝１、２、・・・ｎ）において、大きい方から順に自己の接続数の上限と等しい個数分のＵ［ｉ］を選択する。次に、無線基地局装置１０１Ａは、選択したＵ［ｉ］に対応する無線端末装置２０２を自己に接続すべき無線端末装置２０２として選択する（ステップＳ８３２）。
【０４４３】
一方、無線基地局装置１０１Ａは、ｉが接続済端末の台数および接続要求端末の台数の和を示すｎ未満である場合（ステップＳ８２８でＹＥＳ）、ｉをインクリメントする（ステップＳ８３０）。
【０４４４】
次に、無線基地局装置１０１Ａは、たとえば接続情報に基づいて、インクリメントしたｉに対応する無線端末装置２０２のＩＤを取得する。次に、無線基地局装置１０１Ａは、取得したＩＤに基づいて、当該無線端末装置２０２のＣＳＧクラスを特定し、特定したＣＳＧクラスのスコアをｘ［ｉ］とする（ステップＳ８１４）。
【０４４５】
以上の動作により、無線基地局装置１０１は、無線端末装置２０２の評価値に基づいて、自己に接続すべき無線端末装置２０２の選択を行う。
【０４４６】
また、無線基地局装置１０１Ａは、接続確立状態の無線端末装置２０２だけでなくアイドル状態の無線端末装置２０２も含めた上で、アイドル状態の無線端末装置２０２の評価値が高い場合には、当該無線端末装置２０２を選択することができる。
【０４４７】
これにより、無線基地局装置１０１Ａは、当該アイドル状態の無線端末装置２０２が使用可能な回線を確保することができる。
【０４４８】
なお、上記ステップＳ８１８およびＳ８２０における動作は、順番を入替えてもよい。
【０４４９】
また、無線基地局装置１０１Ａは、上記ステップＳ８３２において、たとえばｍ台のアイドル状態の無線端末装置２０２を自己に接続すべき無線端末装置２０２として選択する場合、以下の処理を行ってもよい。
【０４５０】
すなわち、無線基地局装置１０１Ａは、自己の接続数確認部１１において、自己の接続数にｍを加えた接続数に基づいて、所定条件を満たすか否かの判断を行う。
【０４５１】
これにより、無線基地局装置１０１Ａは、接続要求端末の自己へのハンドオーバ動作または接続要求端末が自己に在圏するための処理が新たに発生した場合において、選択したｍ台のアイドル状態の無線端末装置２０２が使用可能なｍ個の回線を確保した上で、自己に接続すべき無線端末装置２０２を選択することができる。
【０４５２】
［選択されなかった無線端末装置のハンドオーバ動作がＲＬＦにより失敗した場合］
図１８に示す無線基地局装置１０１Ｂおよび図２５に示す無線基地局装置１０１Ａは、自己の接続数が所定条件を満たす場合にハンドオーバ要求またはアタッチ要求を受けると、自己に接続すべき無線端末装置２０２の選択を行った後、選択されなかった無線端末装置２０２を他の無線基地局装置１０１へハンドオーバさせる。
【０４５３】
たとえば、図１８において、無線基地局装置１０１Ｂは、無線端末装置２０２Ａを自己から無線基地局装置１０１Ｃへハンドオーバ動作させる。この際、無線端末装置２０２Ａが無線基地局装置１０１Ｂにより形成されるセル内に留まる場合、無線基地局装置１０１Ｂが送信する無線信号による干渉のため、無線端末装置２０２Ａおよび無線基地局装置１０１Ｃ間の無線リンク断（ＲＬＦ）が発生してしまう場合がある。
【０４５４】
図２８は、本発明の実施の形態に係る無線通信システムにおける、選択されなかった無線端末装置のハンドオーバ動作においてＲＬＦが発生した際の動作の一例を示すシーケンス図である。
【０４５５】
図１８におけるステップＳ４００からＳ４１０までが行われた後、無線基地局装置１０１Ｂは、たとえば図示しない無線基地局装置１０１Ａから無線基地局装置１０１Ｃを示すハンドオーバ要求を受信すると、自己の接続数が所定条件を満たしているので、当該ハンドオーバ要求に含まれる接続評価情報、および接続情報に基づいて効用関数を計算する（ステップＳ８８２）。
【０４５６】
次に、無線基地局装置１０１Ｂは、計算した効用関数に基づいて、自己と接続すべき無線端末装置２０２を選択する（ステップＳ８８４）。
【０４５７】
この際、無線基地局装置１０１Ｂは、たとえば自己と接続すべき無線端末装置２０２として、図示しない無線端末装置２０２Ｂを選択し、また、無線端末装置２０２Ａを選択しないと決定する。
【０４５８】
そして、無線基地局装置１０１Ｂは、周辺セル情報を参照してたとえば無線基地局装置１０１Ｃを無線端末装置２０２Ａのハンドオーバ先として決定する。
【０４５９】
次に、無線基地局装置１０１Ｂは、無線基地局装置１０１Ｃを示すハンドオーバ要求を、基地局間インタフェースであるＸ２インタフェース経由で無線基地局装置１０１Ｃへ送信する（ステップＳ８８６）。
【０４６０】
次に、無線基地局装置１０１Ｃは、無線基地局装置１０１Ｂからハンドオーバ要求を受信して、無線基地局装置１０１Ｂへ当該ハンドオーバ要求に対するハンドオーバ応答をＸ２インタフェース経由で送信する（ステップＳ８８８）。
【０４６１】
次に、無線基地局装置１０１Ｂは、無線基地局装置１０１Ｃからハンドオーバ応答を受信して、無線端末装置２０２ＡへＲＲＣコネクション再構成指示（RRC Connection Reconfiguration）を送信する（ステップＳ８９０）。
【０４６２】
次に、無線端末装置２０２Ａおよび無線基地局装置１０１Ｃ間でＲＲＣコネクションが確立されると、無線端末装置２０２Ａは、ＲＲＣコネクション再構成完了通知（RRC Connection Reconfiguration Complete）を無線基地局装置１０１Ｃへ送信する（ステップＳ８９２）。
【０４６３】
次に、無線基地局装置１０１Ｃは、無線端末装置２０２ＡからＲＲＣコネクション再構成完了通知を受信して、端末情報解放指示を無線基地局装置１０１Ｂへ送信する（ステップＳ８９４）。
【０４６４】
また、無線基地局装置１０１Ｃは、自己が形成するセルにおける無線端末装置２０２Ａの滞在時間を計測するために、タイマをスタートさせる（ステップＳ８９６）。
【０４６５】
次に、無線基地局装置１０１Ｂは、無線基地局装置１０１Ｃから端末情報解放指示を受信して、無線端末装置２０２Ａに関する情報（UE Context）を解放する（ステップＳ８９８）。
【０４６６】
以上により、無線端末装置２０２Ａの無線基地局装置１０１Ｂから無線基地局装置１０１Ｃへのハンドオーバが完了する（ステップＳ９００）。
【０４６７】
ここで、無線端末装置２０２Ａが、無線基地局装置１０１Ｂにより形成されるセル内に留まると、測定結果通知（Measurement Report）を無線基地局装置１０１Ｃへ送信する前に、無線端末装置２０２Ａは、無線基地局装置１０１Ｂが送信する無線信号による干渉のため、無線基地局装置１０１Ｃと通信できなくなり、ＲＬＦが発生してしまう（ステップＳ９０３）。
【０４６８】
次に、無線端末装置２０２Ａは、ＲＬＦ発生を検出すると、無線信号の受信電力の測定等によって周辺の無線基地局装置１０１の探索を行ない、探索した無線基地局装置１０１Ｂに再接続するために、ＲＲＣコネクション再確立要求（RRC Connection Reestablishment Request）を送信する（ステップＳ９０４）。
【０４６９】
次に、無線基地局装置１０１Ｂは、無線端末装置２０２Ａに関する情報（UE Context）を解放済みであり、保持していないことから、無線端末装置２０２ＡからのＲＲＣコネクション再確立要求を受け入れることができず（ステップＳ９０５）、ＲＲＣコネクション再確立拒絶を無線端末装置２０２Ａへ送信する（ステップＳ９０６）。
【０４７０】
次に、無線端末装置２０２Ａは、ＲＲＣコネクション再確立拒絶を無線基地局装置１０１Ｂから受信すると、無線基地局装置１０１Ｂと通常の接続手順をスタートさせる（ステップＳ９０７）。
【０４７１】
以下、ステップＳ９０８からＳ９１７までの動作は、図８に示すステップＳ８８からＳ９７までの動作において、図８における無線端末装置２０２を無線端末装置２０２Ａに、図８における無線基地局装置１０１Ａを無線基地局装置１０１Ｂに、図８における無線基地局装置１０１Ｂを無線基地局装置１０１Ｃに読み替えた場合の動作と同等であるので、ここでは詳細な説明を繰り返さない。
【０４７２】
次に、無線基地局装置１０１Ｂは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ｃへ送信する（ステップＳ９１８）。
【０４７３】
次に、無線基地局装置１０１Ｃは、無線基地局装置１０１ＢからＲＬＦ通知を受信すると、スタートさせておいたタイマを確認し、タイマが動作している場合、すなわちタイマをスタートさせてから所定時間経過していない場合には、無線基地局装置１０１Ｂが形成するセルへの”Ｔｏｏ  Ｌａｔｅ  ＨＯ”ではなく、自己が形成するセルへの”Ｔｏｏ  Ｅａｒｌｙ  ＨＯ”であると判断する。なお、無線基地局装置１０１Ｃは、無線基地局装置１０１ＢからＲＬＦ通知を受信したときにタイマが動作していない場合、すなわちタイマをスタートさせてから上記所定時間経過している場合には、無線基地局装置１０１Ｂが形成するセルへの”Ｔｏｏ  Ｌａｔｅ  ＨＯ”であると判断する。
【０４７４】
無線基地局装置１０１Ｃは、自己が形成するセルへの”Ｔｏｏ  Ｅａｒｌｙ  ＨＯ”であると判断すると（ステップＳ９１９）、ハンドオーバレポートを無線基地局装置１０１Ｂへ送信する（ステップＳ９２０）。このハンドオーバレポートは、たとえば”Ｈａｎｄｏｖｅｒ  Ｒｅｐｏｒｔ  Ｔｙｐｅ”というパラメータを含む。無線基地局装置１０１Ｃは、このパラメータを所定値に設定することにより、”Ｔｏｏ  Ｅａｒｌｙ  ＨＯ”を無線基地局装置１０１Ｂに通知する。
【０４７５】
次に、無線基地局装置１０１Ｂは、無線基地局装置１０１Ｃから当該ハンドオーバレポートを受信して、無線基地局装置１０１Ｃが形成するセルへの”Ｔｏｏ  Ｅａｒｌｙ  ＨＯ”が発生したことを認識し（ステップＳ９２１）、”Ｔｏｏ  Ｅａｒｌｙ  ＨＯ”の発生が抑制されるように、ハンドオーバ動作の最適化処理を実行する（ステップＳ９２２）。
【０４７６】
上記のように、無線端末装置２０２Ａが無線基地局装置１０１Ｂにより形成されるセル内に留まる場合、無線基地局装置１０１Ｂが送信する無線信号による干渉のため、無線端末装置２０２Ａおよび無線基地局装置１０１Ｃ間の無線リンク断（ＲＬＦ）が発生してしまう。
【０４７７】
そして、無線基地局装置１０１Ｂおよび無線基地局装置１０１Ｃは、無線端末装置２０２Ａの無線基地局装置１０１Ｂにより形成されるセルから無線基地局装置１０１Ｃにより形成されるセルへのハンドオーバ動作のタイミングが早すぎると判断してしまう。
【０４７８】
このため、無線基地局装置１０１Ｂおよび無線基地局装置１０１Ｃは、無線端末装置２０２が無線基地局装置１０１Ｂから無線基地局装置１０１Ｃへ移動する際に行われるハンドオーバ動作のタイミングが悪くないにも関わらず、当該タイミングを調整してしまう。
【０４７９】
［ハンドオーバ動作が発生した理由の通知］
無線基地局装置１０１は、ハンドオーバ動作が発生した理由をハンドオーバ要求の送信先の無線基地局装置１０１へ通知する。また、無線基地局装置１０１は、当該ハンドオーバ要求の対象となる無線端末装置２０２においてＲＬＦが発生した場合、当該無線端末装置２０２に対してハンドオーバ動作が発生した理由を通知する。
【０４８０】
図２９は、本発明の実施の形態に係る無線通信システムにおける、選択されなかった無線端末装置のハンドオーバ動作においてＲＬＦが発生した際の動作の他の一例を示すシーケンス図である。
【０４８１】
以下、図２９において、無線端末装置２０２Ａ、無線基地局装置１０１Ｂおよび無線基地局装置１０１Ｃの、図１８に示すステップＳ４１２からの動作を示す。
【０４８２】
図２９を参照して、無線基地局装置１０１Ｂは、たとえば図示しない無線基地局装置１０１Ａから無線基地局装置１０１Ｃを示すハンドオーバ要求を受信すると、自己の接続数が所定条件を満たしているので、当該ハンドオーバ要求に含まれる接続評価情報、および接続情報に基づいて効用関数を計算する（ステップＳ９５２）。
【０４８３】
次に、無線基地局装置１０１Ｂは、計算した効用関数に基づいて、自己と接続すべき無線端末装置２０２を選択する（ステップＳ９５４）。
【０４８４】
この際、無線基地局装置１０１Ｂは、たとえば自己と接続すべき無線端末装置２０２として、図示しない無線端末装置２０２Ｂを選択し、また、無線端末装置２０２Ａを選択しないと決定する。
【０４８５】
そして、無線基地局装置１０１Ｂは、周辺セル情報を参照してたとえば無線基地局装置１０１Ｃを無線端末装置２０２Ａのハンドオーバ先として決定する。
【０４８６】
次に、無線基地局装置１０１Ｂは、無線基地局装置１０１Ｃを示すハンドオーバ要求を、基地局間インタフェースであるＸ２インタフェース経由で無線基地局装置１０１Ｃへ送信する（ステップＳ９５６）。
【０４８７】
この際、無線基地局装置１０１Ｂは、当該ハンドオーバ要求に含まれるＩＥの一種であるＣａｕｓｅにおいて、優先順位最適化ハンドオーバ（Priority Optimization Handover）を含める。
【０４８８】
次に、無線基地局装置１０１Ｃは、無線基地局装置１０１Ｂからハンドオーバ要求を受信して、無線基地局装置１０１Ｂへ当該ハンドオーバ要求に対するハンドオーバ応答をＸ２インタフェース経由で送信する（ステップＳ９５８）。
【０４８９】
次に、無線基地局装置１０１Ｂは、無線基地局装置１０１Ｃからハンドオーバ応答を受信して、無線端末装置２０２ＡへＲＲＣコネクション再構成指示（RRC Connection Reconfiguration）を送信する（ステップＳ９６０）。
【０４９０】
次に、無線端末装置２０２Ａおよび無線基地局装置１０１Ｃ間でＲＲＣコネクションが確立されると、無線端末装置２０２Ａは、ＲＲＣコネクション再構成完了通知（RRC Connection Reconfiguration Complete）を無線基地局装置１０１Ｃへ送信する（ステップＳ９６２）。
【０４９１】
次に、無線基地局装置１０１Ｃは、無線端末装置２０２ＡからＲＲＣコネクション再構成完了通知を受信して、端末情報解放指示を無線基地局装置１０１Ｂへ送信する（ステップＳ９６４）。
【０４９２】
また、無線基地局装置１０１Ｃは、自己が形成するセルにおける無線端末装置２０２Ａの滞在時間を計測するために、タイマをスタートさせる（ステップＳ９６６）。
【０４９３】
次に、無線基地局装置１０１Ｂは、無線基地局装置１０１Ｃから端末情報解放指示を受信して、無線端末装置２０２Ａに関する情報（UE Context）を解放する（ステップＳ９６８）。
【０４９４】
以上により、無線端末装置２０２Ａの無線基地局装置１０１Ｂから無線基地局装置１０１Ｃへのハンドオーバが完了する（ステップＳ９７０）。
【０４９５】
ここで、無線端末装置２０２Ａが、無線基地局装置１０１Ｂにより形成されるセル内に留まると、測定結果通知（Measurement Report）を無線基地局装置１０１Ｃへ送信する前に、無線端末装置２０２Ａは、無線基地局装置１０１Ｂが送信する無線信号による干渉のため、無線基地局装置１０１Ｃと通信できなくなり、ＲＬＦが発生してしまう（ステップＳ９７２）。
【０４９６】
次に、無線端末装置２０２Ａは、ＲＬＦ発生を検出すると、無線信号の受信電力の測定等によって周辺の無線基地局装置の探索を行ない、探索した無線基地局装置１０１Ｂに再接続するために、ＲＲＣコネクション再確立要求（RRC Connection Reestablishment Request）を送信する（ステップＳ９７４）。
【０４９７】
次に、無線基地局装置１０１Ｂは、無線端末装置２０２Ａに関する情報（UE Context）を解放済みであり、保持していないことから、無線端末装置２０２ＡからのＲＲＣコネクション再確立要求を受け入れることができず（ステップＳ９７６）、ＲＲＣコネクション再確立拒絶を無線端末装置２０２Ａへ送信する（ステップＳ９７８）。
【０４９８】
この際、無線基地局装置１０１Ｂは、当該ＲＲＣコネクション再確立拒絶において、端末優先度制御により接続不可能である旨を含める。
【０４９９】
次に、無線端末装置２０２Ａは、ＲＲＣコネクション再確立拒絶を無線基地局装置１０１Ｂから受信すると、無線基地局装置１０１Ｂと通常の接続手順をスタートさせる（ステップＳ９８０）。
【０５００】
また、無線基地局装置１０１Ｃは、ハンドオーバ動作の最適化を実行するか否かについて判定する（ステップＳ９８２）。
【０５０１】
上記ステップＳ９５６において、サービング基地局である無線基地局装置１０１Ｂは、ＩＥの一種であるＣａｕｓｅにおいて優先順位最適化ハンドオーバを含めたハンドオーバ要求をターゲット基地局である無線基地局装置１０１Ｃへ送信する。
【０５０２】
ターゲット基地局は、当該ハンドオーバ要求を受信すると、当該Ｃａｕｓｅに基づいて、当該ハンドオーバ要求の対象となる無線端末装置２０２Ａが、サービング基地局において選択されなかった無線端末装置２０２であると認識する。
【０５０３】
すなわち、ターゲット基地局は、当該ハンドオーバ要求が無線端末装置２０２Ａにおける受信電力に基づく通常のハンドオーバ要求でないことを認識する。
【０５０４】
これにより、ターゲット基地局は、たとえば無線端末装置２０２Ａのハンドオーバ動作が完了した後、無線端末装置２０２ＡにおいてＲＬＦが発生したため、サービング基地局からＲＬＦ通知が送信された場合においても、当該ハンドオーバ動作が通常のハンドオーバ動作でないことを認識することができる。
【０５０５】
すなわち、ターゲット基地局において、自己が形成するセルへの”Ｔｏｏ  Ｅａｒｌｙ  ＨＯ”が発生したと誤って判断してしまうことを防ぐことができる。
【０５０６】
また、ターゲット基地局において、自己が形成するセルへの”Ｔｏｏ  Ｅａｒｌｙ  ＨＯ”であることを示すハンドオーバレポートを、誤ってサービング基地局へ送信してしまうことを防ぐことができる。
【０５０７】
これにより、サービング基地局において、ターゲット基地局から受信したハンドオーバレポートに基づいて、ハンドオーバ動作のタイミングを誤って調整してしまうことを防ぐことができる。
【０５０８】
また、上記ステップＳ９７８において、無線基地局装置１０１Ｂは、ＲＬＦ発生後において、自己と接続するためにＲＲＣコネクション再確立要求を送信してきた無線端末装置２０２Ａに対して、端末優先度制御により接続不可能である旨を含むＲＲＣコネクション再確立拒絶を無線端末装置２０２Ａへ送信する。
【０５０９】
これにより、無線端末装置２０２Ａは、無線基地局装置１０１Ｂにおいて優先度の高い通信が発生していることを認識することができる。
【０５１０】
また、無線端末装置２０２Ａは、無線基地局装置１０１Ｂにおいて優先度の高い通信が発生していることを、たとえば自己のユーザに対して通知してもよい。
【０５１１】
これにより、当該ユーザは、無線基地局装置１０１Ｂにおいて優先度の高い通信が発生していることにより自己の通信が途切れてしまったことを知ることができる。
【０５１２】
ところで、無線端末装置２０２が、ヘテロジーニアスネットワークを移動する際において、たとえば接続数が上限である無線基地局装置１０１により形成されるセル内へ進入すると、当該無線基地局装置１０１における接続数が上限であるため、当該無線端末装置２０２は、接続先を上記無線基地局装置１０１へ変更することができない。
【０５１３】
この場合、無線端末装置２０２は、接続先を、通信を良好に行うことができる当該無線基地局装置１０１へ変更することができないので、通信速度の低下、ユーザの使用感の悪化等、種々の問題が生じる。
【０５１４】
これに対して、本発明の実施の形態に係る無線基地局装置では、接続数確認部１１は、自己の無線基地局装置１０１に接続している無線端末装置２０２の数である接続数が所定条件を満たすか否かを判断する。移動動作検出部１２は、接続数が所定条件を満たす場合において、接続要求端末の自己の無線基地局装置１０１へのハンドオーバ動作が行われる際、または接続要求端末が自己の無線基地局装置１０１に在圏するための処理を行う際の動作を検出する。スコア付与部１４は、当該動作が検出されると、接続済端末、および接続要求端末の各々について、自己の無線基地局装置１０１に接続することに関するスコアを付与する。評価値算出部１５は、当該無線端末装置２０２の各々について、当該スコアに基づいて評価値を算出する。接続端末選択部１６は、当該評価値に基づいて、当該無線端末装置２０２の中から、自己の無線基地局装置１０１に接続すべき無線端末装置を選択する。
【０５１５】
このような構成により、接続済端末および接続要求端末についての評価値に基づいて、当該無線基地局装置１０１に接続すべき無線端末装置２０２を適切に選択することができる。
【０５１６】
また、無線基地局装置１０１へ接続すべき無線端末装置２０２を優先的に当該無線基地局装置１０１へ接続することにより、無線通信のリソースを有効に利用することができるので、通信システムにおける通信の安定化を図ることができる。
【０５１７】
また、本発明の実施の形態に係る無線基地局装置では、評価値算出部１５は、無線端末装置２０２の通信先の優先度に基づいて評価値を算出する。
【０５１８】
このような構成により、たとえば１１０番または１１９番等の緊急度の高い通信を行う無線端末装置２０２に対して高い評価値を与え、当該無線端末装置２０２を優先的に選択することができる。
【０５１９】
また、本発明の実施の形態に係る無線基地局装置では、評価値算出部１５は、無線端末装置２０２に付与されたＣＳＧクラス、無線端末装置２０２が通信するデータのＱＣＩ、および無線端末装置２０２を自己の無線基地局装置１０１から他の無線基地局装置１０１へハンドオーバさせた場合に無線端末装置２０２の通信接続が切断される確率、の少なくともいずれか１つに基づいて評価値を算出する。
【０５２０】
このような構成により、ＣＳＧクラス、ＱＣＩおよび上記通信接続が切断される確率を考慮した適切な評価値を算出することができる。
【０５２１】
また、本発明の実施の形態に係る無線基地局装置では、接続端末選択部１６は、評価値および無線端末装置２０２の通信量に基づいて、自己の無線基地局装置１０１に接続すべき無線端末装置２０２を選択する。
【０５２２】
このような構成により、無線基地局装置１０１は、自己における通信データの量が上限を超えない範囲で、自己に接続すべき無線端末装置２０２を選択することができる。
【０５２３】
これにより、無線基地局装置１０１における通信データの量が当該上限を超えることにより生ずる、無線通信のリソースの不足状態を回避することができる。
【０５２４】
また、本発明の実施の形態に係る無線基地局装置では、ハンドオーバ制御部１８は、接続済端末、および接続要求端末のうち、接続端末選択部１６によって選択されなかった無線端末装置２０２を自己の無線基地局装置１０１から他の無線基地局装置１０１へハンドオーバさせる制御を行う。
【０５２５】
このような構成により、たとえば通信接続を確立している無線端末装置２０２が、接続数が上限に達している無線基地局装置１０１により形成されるセルへ進入する場合においても、当該無線端末装置２０２における上記通信接続の切断を防ぐことができる。
【０５２６】
また、たとえばハンドオーバの対象となる無線端末装置２０２においても、当該無線端末装置２０２における通信接続を切断することなく、当該無線端末装置２０２を上記無線基地局装置１０１から他の無線基地局装置１０１へハンドオーバさせることができる。
【０５２７】
また、本発明の実施の形態に係る無線基地局装置では、ハンドオーバ制御部１８は、上記他の無線基地局装置１０１に、無線端末装置２０２のハンドオーバの要因として、自己の無線基地局装置１０１によって選択されなかった旨を通知する。
【０５２８】
このような構成により、選択されなかった無線端末装置２０２のハンドオーバ先となる他の無線基地局装置１０１は、当該無線端末装置２０２のハンドオーバ動作が、通常のハンドオーバ動作でないことを認識することができる。
【０５２９】
これにより、たとえば当該無線端末装置２０２のハンドオーバ動作が完了した後、当該無線端末装置２０２においてＲＬＦが発生した場合においても、ハンドオーバ動作の最適化処理を行うか否かについて判断することができる。
【０５３０】
また、本発明の実施の形態に係る無線基地局装置では、ハンドオーバ制御部１８は、自己によってハンドオーバされた無線端末装置２０２に、当該無線端末装置２０２のハンドオーバの要因として、自己の無線基地局装置１０１によって選択されなかった旨を通知する。
【０５３１】
このような構成により、ハンドオーバされた無線端末装置２０２は、接続していた無線基地局装置１０１に選択されなかったことがハンドオーバの要因であると認識することができる。
【０５３２】
これにより、当該無線通信端末２０２は、たとえば接続していた無線基地局装置１０１において、優先度の高い通信が発生したためにハンドオーバが発生したことを、自己のユーザに対して提示することができる。
【０５３３】
また、本発明の実施の形態に係る無線基地局装置では、評価値算出部１５は、接続要求端末のハンドオーバ元の無線基地局装置１０１から送信される情報、または自己の無線基地局装置１０１に在圏するための処理をする際に接続要求端末から送信される情報に基づいて、評価値を算出する。
【０５３４】
このような構成により、評価値を算出するために有用な情報を、取得することができる。
【０５３５】
また、本発明の実施の形態に係る無線基地局装置では、接続数確認部１１は、接続数が自己の無線基地局装置１０１における接続数の上限より所定個数少ないしきい値よりも大きくなることを上記所定条件とする。
【０５３６】
このような構成により、上記所定条件を満たした場合においても無線基地局装置１０１における接続数が上限に達していないので、接続要求端末の接続先を、より早いタイミングで当該無線基地局装置１０１へ変更することができる。
【０５３７】
また、本発明の実施の形態に係る無線基地局装置では、接続情報処理部１３は、自己の無線基地局装置１０１に接続している無線端末装置２０２について、無線端末装置２０２による無線基地局装置１０１への接続を評価する際に使用可能な接続評価情報を作成する。そして、メッセージ送信部１７は、自己の無線基地局装置１０１から他の無線基地局装置１０１への無線端末装置２０２のハンドオーバ動作が行われる場合に、当該他の無線基地局装置１０１へ無線端末装置２０２の接続評価情報を送信する。
【０５３８】
このような構成により、無線端末装置２０２のハンドオーバ先の無線基地局装置１０１は、当該無線端末装置２０２のハンドオーバ元の無線基地局装置１０１から受信した接続評価情報に基づいて、当該無線端末装置２０２の自己へのハンドオーバ動作を行うか否かについて判断することができる。
【０５３９】
なお、本発明の実施の形態に係る無線基地局装置１０１は、評価値を算出する処理を行ったが、これに限定するものではない。たとえば、無線基地局装置１０１は、無線端末装置２０２において算出された評価値を受信し、受信した評価値に基づいて、自己と接続すべき無線端末装置２０２を選択してもよい。
【０５４０】
また、本発明の実施の形態に係る無線基地局装置１０１は、通信先の優先度として緊急度を例示したが、これに限定するものでない。たとえば、通信先の優先度として、事業者により選ばれた基準を適用してもよい。具体的には、たとえば当該事業者における特定の顧客の通信先を優先度の高い通信先として割当ててもよい。
【０５４１】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０５４２】
１１  接続数確認部
１２  移動動作検出部（評価値取得部）
１３  接続情報処理部（評価値取得部および接続評価情報作成部）
１４  スコア付与部（評価値取得部）
１５  評価値算出部（評価値取得部）
１６  接続端末選択部
１７  メッセージ送信部（接続評価情報送信部）
１８  ハンドオーバ制御部
９１  アンテナ
９２  サーキュレータ
９３  無線受信部
９４  無線送信部
９５  信号処理部
９６  受信信号処理部
９７  送信信号処理部
９８  制御部
１０１  無線基地局装置
２０２  無線端末装置
【図１】
2013187747.tif 000003
【図２】
2013187747.tif 000004
【図３】
2013187747.tif 000005
【図４】
2013187747.tif 000006
【図５】
2013187747.tif 000007
【図６】
2013187747.tif 000008
【図７】
2013187747.tif 000009
【図８】
2013187747.tif 000010
【図９】
2013187747.tif 000011
【図１０】
2013187747.tif 000012
【図１１】
2013187747.tif 000013
【図１２】
2013187747.tif 000014
【図１３】
2013187747.tif 000015
【図１４】
2013187747.tif 000016
【図１５】
2013187747.tif 000017
【図１６】
2013187747.tif 000018
【図１７】
2013187747.tif 000019
【図１８】
2013187747.tif 000020
【図１９】
2013187747.tif 000021
【図２０】
2013187747.tif 000022
【図２１】
2013187747.tif 000023
【図２２】
2013187747.tif 000024
【図２３】
2013187747.tif 000025
【図２４】
2013187747.tif 000026
【図２５】
2013187747.tif 000027
【図２６】
2013187747.tif 000028
【図２７】
2013187747.tif 000029
【図２８】
2013187747.tif 000030
【図２９】
2013187747.tif 000031